(57)【要約】【課題】  無線通信システムにおけるスロットフォーマット決定のための方法および装置を提供する。【解決手段】  ユーザ機器（ＵＥ）の観点からの例では、スロットフォーマットを指示する下りリンク制御情報を監視するための設定が受信され得る。いくつかの例では、その設定は、ＵＥが、スロットに関連する第１の監視機会において第１のＤＣＩを監視し、第２の監視機会で第２のＤＣＩを監視することを指示する。第１のＤＣＩはスロットフォーマットを指示する。第１のＤＣＩが第１の監視機会において受信されず、第２のＤＣＩが第２の監視機会において受信され、第２のＤＣＩがスロットのためのスロットフォーマットを指示するとき、設定された送信および／または設定された受信は、１つ以上のシンボル上で実行され得る。１つ以上のシンボルは、無線リソース制御（ＲＲＣ）設定によってフレキシブルとして設定される。１つ以上のシンボルはスロット内に存在する。【選択図】  図１２
2019176476.tif 000002
【特許請求の範囲】
【請求項１】
ユーザ機器（ＵＥ）の方法であって、
スロットフォーマットを指示する下りリンク制御情報（ＤＣＩ）を監視するための設定を受信することであって、該設定は、前記ＵＥが、スロットに関連する第１の監視機会において第１のＤＣＩを監視し、第２の監視機会において第２のＤＣＩを監視すること指示し、該第１のＤＣＩは該スロットフォーマットを指示する、受信することと、
前記第２のＤＣＩに基づいて、前記第１のＤＣＩが前記第１の監視機会において受信されず、前記第２のＤＣＩが前記第２の監視機会において受信され、前記第２のＤＣＩが前記スロットのためのスロットフォーマットを指示するときに、１つ以上のシンボル上で、設定された送信または設定された受信のうちの少なくとも１つを実行することであって、該１つ以上のシンボルが無線リソース制御（ＲＲＣ）設定によってフレキシブルとして設定され、該１つ以上のシンボルは前記スロット内に存在する、実行すること、または
前記第１のＤＣＩが前記第１の監視機会において受信されず、前記第２のＤＣＩが前記第２の監視機会において受信されないときに、前記１つ以上のシンボル上で、設定された送信または設定された受信のうちの少なくとも１つを実行しないこと、のうちの１つと、
を含む方法。
【請求項２】
前記第１の監視機会は、ＤＣＩフォーマット２＿０に関連する監視機会であること、または
前記第２の監視機会は、ＤＣＩフォーマット２＿０に関連する監視機会であることのうち少なくとも１つの特徴を有する、請求項１に記載の方法。
【請求項３】
前記第１の監視機会は、前記第２の監視機会に先行する、請求項１に記載の方法。
【請求項４】
前記第１の監視機会と前記第２の監視機会は、ＤＣＩフォーマット２＿０に関連する監視期間によって分離される、請求項１に記載の方法。
【請求項５】
前記第１のＤＣＩはＤＣＩフォーマット２＿０に関連すること、または
前記第２のＤＣＩはＤＣＩフォーマット２＿０に関連することのうち少なくとも１つの特徴を有する、請求項１に記載の方法。
【請求項６】
前記第１のＤＣＩは、前記第１の監視機会において監視される、請求項１に記載の方法。
【請求項７】
前記第１のＤＣＩは、前記スロット内の１つ以上の第２のシンボルがフレキシブルまたは上りリンクの少なくとも１つに設定されるときに、前記第１の監視機会において監視されない、請求項１に記載の方法。
【請求項８】
前記第２のＤＣＩは、前記第２の監視機会において前記スロットフォーマットを指示するＤＣＩが存在しないときに、前記第２の監視機会において受信されない、請求項１に記載の方法。
【請求項９】
前記第２の監視機会において第２のスロットのための第２のスロットフォーマットを指示する第３のＤＣＩが存在し、かつ
前記第３のＤＣＩは、前記スロットのためのスロットフォーマットを指示しないときに、
前記第２のＤＣＩが前記第２の監視機会において受信されない、請求項１に記載の方法。
【請求項１０】
前記ＵＥは、前記ＵＥが前記１つ以上のシンボル上で送信または受信を実行することを指示する第３のＤＣＩを検出しない、請求項１に記載の方法。
【請求項１１】
ユーザ機器（ＵＥ）の方法であって、
スロットフォーマットを指示する下りリンク制御情報（ＤＣＩ）を監視するための設定を受信することであって、該設定は、前記ＵＥが第１のスロットおよび第２のスロットに関連する第１の監視機会において第１のＤＣＩを監視し、第２の監視機会において第２のＤＣＩを監視することを指示し、
前記第２のＤＣＩは、前記第２の監視機会おいて受信され、前記第２のＤＣＩは前記第１のスロットのためのスロットフォーマットを指示し、
前記第２のＤＣＩは、前記第２のスロットのためのスロットフォーマットを指示しない、受信することと、
前記第２のＤＣＩに基づいて、前記第１のＤＣＩが前記第１の監視機会において受信されないとき、前記第１のスロット内の１つ以上の第１のシンボル上で、設定された送信または設定された受信のうちの少なくとも１つを実行することであって、前記第１のスロット内の１つ以上の第１のシンボルは、無線リソース制御（ＲＲＣ）設定によってフレキシブルとして設定される、実行すること、または
前記第１のＤＣＩが前記第１の監視機会において受信されないとき、前記第２のスロットの１つ以上の第２のシンボル上で、設定された送信または設定された受信のうちの少なくとも１つを実行しないことであって、前記第２のスロット内の１つ以上の第２のシンボルは、無線リソース制御（ＲＲＣ）設定によってフレキシブルとして設定される、実行しないこと、のうち少なくとも１つと、
を含む方法。
【請求項１２】
前記第１の監視機会は、ＤＣＩフォーマット２＿０に関連する監視機会であること、または
前記第２の監視機会は、ＤＣＩフォーマット２＿０に関連する監視機会であること、のうち少なくとも１つの特徴を有する、請求項１１に記載の方法。
【請求項１３】
前記第１の監視機会は、前記第２の監視機会に先行する、請求項１１に記載の方法。
【請求項１４】
前記第１の監視機会と前記第２の監視機会は、ＤＣＩフォーマット２＿０に関連する監視期間によって分離される、請求項１１に記載の方法。
【請求項１５】
前記第１のＤＣＩはＤＣＩフォーマット２＿０に関連すること、または
前記第２のＤＣＩはＤＣＩフォーマット２＿０に関連することのうち少なくとも１つの特徴を有する、請求項１１に記載の方法。
【請求項１６】
基地局の方法であって、
スロットフォーマットを示す下りリンク制御情報（ＤＣＩ）を監視するための設定をＵＥに送信することと、
第１のスロットおよび第２のスロットに関連する第１の監視機会において第１のＤＣＩを送信しないことと、
第２の監視機会において第２のＤＣＩを送信することであって、
前記第２のＤＣＩは、前記第１のスロットのためのスロットフォーマットを指示し、
前記第２のＤＣＩは、前記第２のスロットのためのスロットフォーマットを指示しない、送信することと、
前記第２のＤＣＩに基づいて、無線リソース制御（ＲＲＣ）設定によってフレキシブルとして設定された１つ以上の第１のシンボル上で、設定された送信または設定された受信のうちの少なくとも１つを実行することであって、該１つ以上の第１のシンボルは前記第１のスロット内に存在する、実行すること、または、
前記ＲＲＣ設定によってフレキシブルとして設定された１つ以上の第２のシンボル上で、設定された送信または設定された受信のうちの少なくとも１つを実行しないことであって、該１つ以上の第２のシンボルは前記第２のスロット内に存在する、実行しないこと、のうち少なくとも１つと、
を含む方法。
【請求項１７】
前記第１の監視機会は、ＤＣＩフォーマット２＿０に関連する監視機会であること、または
前記第２の監視機会は、ＤＣＩフォーマット２＿０に関連する監視機会であることのうち少なくとも１つの特徴を有する、請求項１６に記載の方法。
【請求項１８】
前記第１の監視機会は、前記第２の監視機会に先行する、請求項１６に記載の方法。
【請求項１９】
前記第１の監視機会と前記第２の監視機会は、ＤＣＩフォーマット２＿０に関連する監視期間によって分離される、請求項１６に記載の方法。
【請求項２０】
前記第１のＤＣＩはＤＣＩフォーマット２＿０に関連すること、または
前記第２のＤＣＩはＤＣＩフォーマット２＿０に関連することのうち少なくとも１つの特徴を有する、請求項１６に記載の方法。
【発明の詳細な説明】
【技術分野】
【０００１】
本願は、２０１８年３月２８日に出願された米国仮特許出願第６２／６４９，４１７号の利益を主張するものであり、そのすべての開示は全体として参照により本明細書に援用される。
【０００２】
この開示は、概して、無線通信ネットワークに関連し、より詳細には、無線通信システムにおけるスロットフォーマット決定のための方法および装置に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
本開示によれば、１つ以上のデバイスおよび／または方法が提供される。ユーザ機器（ＵＥの観点からの例では、スロットフォーマットを指示する下りリンク制御情報（ＤＣＩ）を監視するための設定が受信され得る。いくつかの例では、その設定は、ＵＥがスロットに関連する第１の監視機会において第１のＤＣＩを監視し、第２の監視機会において第２のＤＣＩを監視することを指示する。第１のＤＣＩが第１の監視機会において受信されず、第２のＤＣＩが第２の監視機会において受信され、第２のＤＣＩがスロットのためのスロットフォーマットを示すときに、設定された送信および／または設定された受信は、１つ以上のシンボル上で実行され得る。１つ以上のシンボルは、無線リソース制御（ＲＲＣ）設定によってフレキシブルとして設定される。１つ以上のシンボルは、スロット内に存在する。代替的かつ／あるいは追加的に、第１のＤＣＩが第１の監視機会において受信されず、第２のＤＣＩが第２の監視機会において受信されないときに、設定された送信および／または設定された受信は、１つ以上のシンボル上で実行されなくてよい。
【図面の簡単な説明】
【０００６】
【図１】例示的な一実施形態による無線通信システムの図を示す。
【図２】例示的な一実施形態による送信機システム（アクセスネットワークとしても知られている）および受信機システム（ユーザ機器またはＵＥとしても知られている）のブロック図である。
【図３】例示的な一実施形態による通信システムの機能ブロック図である。
【図４】例示的な一実施形態による図３のプログラムコードの機能ブロック図である。
【図５】直交周波数分割多重（ＯＦＤＭ）ヌメロロジに関連する表を示す。
【図６Ａ】ノーマル・サイクリック・プレフィックス（ＣＰ）の場合のスロット当たりのＯＦＤＭシンボルの数、フレーム当たりのスロットの数および／またはサブフレーム当たりのスロットの数に関連する表を示す。
【図６Ｂ】エクステンデットＣＰの場合のスロット当たりのＯＦＤＭシンボルの数、フレーム当たりのスロットの数および／またはサブフレーム当たりのスロットの数に関連する表を示す。
【図７】ノーマルＣＰにおけるスロットフォーマットに関連する表を示す。
【図８】下りリンク制御情報（ＤＣＩ）で搬送されるスロットフォーマットが異なる数のスロットおよび／または期間に関連し得る例示的なシステムを示す。
【図９】第１の状況および第２の状況の１つ以上の例に関連する例示的なシステムを示す。
【図１０】ＤＣＩで搬送されるスロットフォーマットの組み合わせが異なる数のスロットおよび／または期間に関連し得る例示的なシステムを示す。
【図１１】例示的な一実施形態によるフローチャートである。
【図１２】例示的な一実施形態によるフローチャートである。
【図１３】例示的な一実施形態によるフローチャートである。
【図１４】例示的な一実施形態によるフローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−ＡもしくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、またはその他何らかの変調技術に基づき得る。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてもよく、その標準は、R1-1803543,  “draft  CR  to  38.211  capturing  the  Jan18  ad-hoc  and  RAN1#92  meeting  agreements”,  Ericsson;  R1-1803554,  3GPP  TS  38.213  V15.0.1,  “NR  Physical  layer  procedures  for  control”;  3GPP  TSG  RAN  WG1  Meeting  #92;  3GPP  TS  38.211  V2.0.0,  “NR  Physical  channels  and  modulation”を含む。上記に挙げた標準および文書は、全体として参照により本明細書に明示的に援用される。
【０００９】
図１は、本開示の１つ以上の実施形態に従った多重アクセス無線通信システムを示している。アクセスネットワーク１００（ＡＮ）は、複数のアンテナグループを含み、あるグループは１０４および１０６、別のグループは１０８および１１０、また追加のグループは１１２および１１４を含む。図１においては、各アンテナグループに対して、アンテナが２つしか示されていないが、より多くのまたはより少ないアンテナが各アンテナグループに利用されてもよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。ＡＴ１２２は、アンテナ１０６および１０８と通信しており、アンテナ１０６および１０８は、順方向リンク１２６を介して情報をＡＴ１２２に送信すると共に、逆方向リンク１２４を介して情報をＡＴ１２２から受信している。周波数分割複信（ＦＤＤ）システムにおいては、通信リンク１１８、１２０、１２４、および１２６は通信に異なる周波数を使用してよい。例えば、順方向リンク１２０では、逆方向リンク１１８によって使用される周波数とは異なる周波数を使用してもよい。
【００１０】
アンテナの各グループおよび／またはアンテナが通信するように設計されたエリアは、アクセスネットワークのセクターと呼ばれることが多い。本実施形態では、アンテナグループはそれぞれ、アクセスネットワーク１００によってカバーされるエリアのセクターにおいて、アクセス端末と通信するように設計され得る。
【００１１】
順方向リンク１２０および１２６を介した通信では、アクセスネットワーク１００の送信アンテナは、異なるアクセス端末１１６および１２２に対する順方向リンクの信号対雑音比を改善するために、ビームフォーミングを利用してもよい。また、カバレッジにランダムに分散したアクセス端末へ送信するためにビームフォーミングを使用するアクセスネットワークは、通常、１つのアンテナからすべてのそのアクセス端末に送信するアクセスネットワークよりも、隣接セル内のアクセス端末への干渉を少なくすることができる。
【００１２】
アクセスネットワーク（ＡＮ）は、端末と通信するのに使用される固定局または基地局としてもよく、アクセスポイント、Ｎｏｄｅ  Ｂ、基地局、拡張型基地局、ｅＮｏｄｅＢ、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、多入力多出力（ＭＩＭＯ）システム２００における送信機システム２１０（アクセスネットワークとしても知られている）および受信機システム２５０（アクセス端末（ＡＴ）またはユーザ機器（ＵＥ）としても知られている）の実施形態を表す。送信機システム２１０では、多くのデータストリームのトラフィックデータがデータ源２１２から送信（ＴＸ）データプロセッサ２１４に提供され得る。
【００１４】
一実施形態では、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の方法で処理される既知のデータパターンであり、受信機システムでチャネル応答を推定するのに使用され得る。そして、各データストリームについての多重化パイロットおよび符号化データは、データストリームに対して選択された特定の変調方式（例えば、二位相偏移変調（ＢＰＳＫ）、四位相偏移変調（ＱＰＳＫ）、Ｍアレイ偏移変調（Ｍ−ＰＳＫ）、またはＭアレイ直角位相振幅変調（Ｍ−ＱＡＭ））に基づいて変調（すなわち、シンボルマッピング）され、変調シンボルを提供し得る。各データストリームについてのデータレート、符号化、および変調は、プロセッサ２３０により実行される命令によって決定され得る。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理し得る。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。いくつかの実施形態において、ＴＸ  ＭＩＭＯプロセッサ２２０は、ビームフォーミング加重をデータストリームのシンボルおよびシンボルが送信されているアンテナに適用し得る。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信され得る。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供され得る。各受信機２５４は、それぞれの受信信号を調節（例えば、フィルタリング、増幅、およびダウンコンバート）して、調節された信号をデジタル化してサンプルを与え、かつ／あるいは、これらのサンプルを処理して対応する「受信」シンボルストリームを提供し得る。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元し得る。ＲＸデータプロセッサ２６０による処理は、送信機システム２１０でのＴＸ  ＭＩＭＯプロセッサ２２０およびＴＸデータプロセッサ２１４により実行される処理と相補的であり得る。
【００２０】
プロセッサ２７０は、どのプリコーディングマトリクス（後述）使用するかを定期的に決定し得る。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含み得る。そして、逆方向リンクメッセージは、データ源２３６からの多くのデータストリームについてのトラフィックデータも受信し得るＴＸデータプロセッサ２３８により処理され、変調器２８０により変調され、送信機２５４ａ〜２５４ｒにより調節され、かつ／あるいは、送信機システム２１０に送り戻され得る。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定してもよく、そして、抽出されたメッセージを処理し得る。
【００２３】
図３は、開示主題の一実施形態による通信デバイスの代替的な簡易機能ブロック図を表す。図３に示すように、無線通信システムにおける通信デバイスは、図１のＵＥ（もしくはＡＴ）１１６および１２２または図１の基地局（もしくはＡＮ）１００を実現するのに利用することができ、無線通信システムは、好ましくはＬＴＥシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含み得る。制御回路３０６は、ＣＰＵ３０８を介してメモリ３１０内のプログラムコード３１２を実行することにより、通信デバイス３００の動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用することができる。
【００２４】
図４は、開示主題の一実施形態による図３に示すプログラムコード３１２の簡易ブロック図である。本実施形態では、プログラムコード３１２は、アプリケーションレイヤ４００、レイヤ３部４０２、およびレイヤ２部４０４を含み、レイヤ１部４０６に結合されている。レイヤ３部４０２は無線リソース制御を実行し得る。レイヤ２部４０４はリンク制御を実行し得る。レイヤ１部４０６は物理的接続を実行かつ／あるいは実施し得る。
【００２５】
単一のヌメロロジを用いて種々の多様な要件を満たすことは困難であることがあるため、複数のヌメロロジを採用し得る。標準化努力、実装努力、および／または種々のヌメロロジに関連する多重化能力を考慮すると、整数倍関係のような異なるヌメロロジ間の関係を有することが有益であり得る。ＬＴＥ  １５ｋＨｚのような種々のヌメロロジファミリおよび／または他のヌメロロジは、１ｍｓにおいて２シンボルのＮ乗を許容し得る。
【００２６】
Ｎｅｗ  ＲＡＴ（ＮＲ）のフレーム構造、チャネルおよび／またはヌメロロジの設計を以下に説明する。いくつかの例では、時間領域における種々のフィールドのサイズは、時間単位（例えば、Ｔｃ＝１・（Δｆｍａｘ・Ｎｆ）であり、ここで、Δｆｍａｘ＝４８０・１０３Ｈｚであり、Ｎｆ＝４０９６）で表すことができる。代替的かつ／あるいは追加的に、定数κ＝Ｔｓ／Ｔｃ＝６４について、Ｔｓ＝１／（Δｆｒｅｆ・Ｎｆ，ｒｅｆ）であり、Δｆｒｅｆ＝１５・１０３であり、Ｎｆ，ｒｅｆ＝２０４８である。
【００２７】
図５は、ＯＦＤＭヌメロロジに関連する表５００を示す。例えば、帯域幅部分に対するμおよび／またはサイクリック・プレフィックス（ＣＰ）は、上位レイヤのパラメータの下りリンク（ＤＬ）（伝送）に対するＤＬ−ＢＷＰ−ｍｕおよびＤＬ−ＢＷＰ−ｃｐおよび／または上りリンク（ＵＬ）（伝送）に対するＵＬ−ＢＷＰ−ｍｕおよびＵＬ−ＢＷＰ−ｃｐによって与えられ得る。
【００２８】
ＤＬ伝送および／またはＵＬ伝送は、Ｔｆ＝（ΔｆｍａｘＮｆ／１００）・Ｔｃ＝１０ｍｓの持続時間を有するフレームに編成されてよく、各々がＴｓｆ＝（ΔｆｍａｘＮｆ／１０００）・Ｔｃ＝１ｍｓの持続時間の１０個のサブフレーム（および／または異なる数のサブフレーム）からなる。サブフレーム当たりの複数の連続したＯＦＤＭシンボルの数は、
【数１】
2019176476.tif 000003
であり得る。各フレームは、５個のサブフレームの等しいサイズの半フレームに分割され、半フレーム０はサブフレーム０〜４からなり、半フレーム１はサブフレーム５〜９からなる。上りリンクの中の１組のフレームおよび／またはキャリア上のＤＬの中の１組のフレームが存在し得る。
【００２９】
図６Ａは、ノーマルＣＰの場合のスロット当たりのＯＦＤＭシンボルの数、フレーム当たりのスロットの数およびサブフレーム当たりのスロットの数に関連する表６００を示す。図６Ｂは、エクステンデットＣＰの場合のスロット当たりのＯＦＤＭシンボルの数、フレーム当たりのスロットの数およびサブフレーム当たりのスロットの数に関連するテーブル６５０を示す。サブキャリア間隔設定μの場合、スロットは、サブフレーム内で昇順で、
【数２】
2019176476.tif 000004
であり、フレーム内で昇順で
【数３】
2019176476.tif 000005
と番号付けされ得る。スロット内には、
【数４】
2019176476.tif 000006
個の連続するＯＦＤＭシンボルが存在してよく、ここで、
【数５】
2019176476.tif 000007
は、表６００および／または表６５０に関連するＣＰに依存する。サブフレーム内のスロット
【数６】
2019176476.tif 000008
の開始は、同じサブフレーム内のＯＦＤＭシンボル
【数７】
2019176476.tif 000009
の開始に時間的に整合される。
【００３０】
図７は、Ｎｏｒｍａｌ  ＣＰにおけるスロットフォーマットに関連する表７００を示す。いくつかの例では、スロット内のＦＤＭシンボルは、「下りシンク」（表７００において「Ｄ」と表す）、「フレキシブル」（表７００において「Ｘ」と表す）および／または「上りリンク」（表７００において「Ｕ」と表す）として分類することができる。表７００は、スロットフォーマット・インジケータ無線ネットワーク一時識別子（ＳＦＩ−ＲＮＴＩ）が、スロットフォーマット指示（スロットフォーマットのシグナリングが記載されている３ＧＰＰ  ＴＳ  ３８．２１３に関連する）に使用されるときに使用され得る。ＤＬフレーム内のスロットでは、ＵＥは、ＤＬ伝送が「下りシンク」および／または「フレキシブル」シンボルにおいて起こると想定するものとする。ＵＬフレーム内のスロットでは、ＵＥは、「上りリンク」および／または「フレキシブル」シンボルにおいてのみ送信するものとする。
【００３１】
上述した、かつ／あるいは、図７に示すように、ＮＲフレーム構造は、各ＯＦＤＭシンボルの伝送方向を決定するためのスロットフォーマットの柔軟なフレームワークを提供する。スロット設定は、システム情報および／またはＵＥ固有のＲＲＣメッセージによって設定／搬送することができ、および／またはＵＥには、（上位レイヤ設定によって）ＤＬであるＯＦＤＭシンボルのセット、（上位レイヤ設定によって）フレキシブルであるＯＦＤＭシンボルのセット、および／または（上位レイヤ設定によって）ＵＬであるＯＦＤＭシンボルのセットが通知され得る。設定されたＯＦＤＭシンボルタイプ（例えば、ＤＬ、ＵＬ、フレキシブル）は、（例えば、フレキシブルとして設定されているＯＦＤＭシンボルに対して）（異なる）信号によってオーバーライドすることができる。例えば、（異なる）信号は、ＤＬ割り当ておよび／またはＯＦＤＭシンボル上のＤＬ受信および／またはＵＬ送信のためのリソースを示すＵＬグラントであり得る。（異なる）信号により、ＵＥはＯＦＤＭシンボルがＵＬであるかＤＬであるかを決定することができる。（異なる）信号は、グループ共通物理下りリンク制御チャネル（ＰＤＣＣＨ）（例えば、下りリンク制御情報（ＤＣＩ）フォーマット２−０）であってもよく、これは、１つ以上のスロットに対するスロットフォーマットを指示し得る。スロットに対して指示されるスロットフォーマットは、スロット内の各ＯＦＤＭシンボルがＤＬ  ＯＦＤＭシンボル、ＵＬ  ＯＦＤＭシンボル、またはフレキシブルＯＦＤＭシンボルであることをＵＥに通知し得る。ＵＥは、上位レイヤシグナリングによってＵＬとして設定されたＯＦＤＭシンボルに対してＤＬを示すグループ共通ＰＤＣＣＨを受信することを期待しなくてもよい。代替的かつ／あるいは追加的に、ＵＥは、上位レイヤシグナリングによってＤＬとして設定されたＯＦＤＭシンボルに対してＵＬを示すグループ共通ＰＤＣＣＨを受信することを期待しなくてもよい。フレキシブルとして設定されたＯＦＤＭシンボルに対しては、グループ共通ＰＤＣＣＨは、ＯＦＤＭシンボルをＤＬ、フレキシブルおよび／またはＵＬとして指示し得る。チャネルまたは信号の送信および／または受信は、スロットフォーマット・インジケータ（ＳＦＩ）の決定によって影響を受けることがある。
【００３２】
いくつかの例では、スロットフォーマットは、ＤＬシンボル、ＵＬシンボル、およびフレキシブルシンボルを含む。代替的かつ／あるいは追加的に、各サービングセルに対して、ＵＥが上位レイヤパラメータUL-DL-configuration-commonを備える場合、ＵＥは、上位レイヤパラメータUL-DL-configuration-commonによって指示されるある数のスロットにわたるスロットごとのスロットフォーマットを設定するものとする。代替的かつ／あるいは追加的に、ＵＥが上位レイヤパラメータUL-DL-configuration-common-Set2を備える場合、ＵＥは、上位レイヤパラメータUL-DL-configuration-commonによって指示される第１の数のスロットにわたるスロットごとのスロットフォーマットを設定し、ＵＥは、UL-DL-configuration-common-Set2によって指示される第２の数のスロットにわたってスロットごとのスロットフォーマットを設定するものとする。代替的かつ／あるいは追加的に、ＵＥがある数のスロットにわたるスロットごとのスロットフォーマットについて上位レイヤパラメータUL-DL-configuration-dedicatedを備える場合、パラメータUL-DL-configuration-dedicatedは、UL-DL-configuration-commonまたはUL-DL-configuration-common-Set2によって提供されるある数のスロットにわたるスロットごとのフレキシブルシンボルのみをオーバーライドする。
【００３３】
任意の偶数フレーム番号ｎｆに対する最初のシンボルは、上位レイヤパラメータUL-DL-configuration-commonによって提供されるある数のスロットに対する最初のシンボルと同時に開始する。
【００３４】
ＵＥは、上位レイヤパラメータref-scsによって提供されるサブキャリア間隔設定に基づいて、ある数のスロットにわたる持続時間（例えば、ＤＬ持続時間）、フレキシブル持続時間、および／またはＵＬ持続時間を決定し得る。ＤＬ持続時間、フレキシブル持続時間、およびＵＬ持続時間は、設定された各ＢＷＰに共通である。
【００３５】
ＵＥが上位レイヤパラメータsfi-CelltoSFIで設定されていない場合、および／または上位レイヤパラメータsfi-CelltoSFIで提供されるサービングセルのセットにサービングセルが含まれていない場合、ＵＥは、受信に利用可能なものとして、上位レイヤパラメータUL-DL-configuration-common、UL-DL-configuration-common-Set2、および／またはUL-DL-configuration-dedicatedによって、ＤＬとして指示されるスロット内のシンボルを考慮し得る。ＵＥは、送信に利用可能なものとして、上位レイヤパラメータUL-DL-configuration-common、UL-DL-configuration-common-Set2、および／またはUL-DL-configuration-dedicatedによって、ＵＬとして指示されるスロット内のシンボルを考慮し得る。
【００３６】
上位レイヤパラメータUL-DL-configuration-common、UL-DL-configuration-common-Set2、および／またはUL-DL-configuration-dedicatedによってフレキシブルとして指示されるスロットのシンボルのセットついて、ＵＥに提供されるとき、および／またはUL-DL-configuration-common、UL-DL-configuration-common-Set2および／またはUL-DL-configuration-dedicatedがＵＥに提供されないとき、１つ以上の動作がＵＥによって実行され得る。１つ以上の動作は、ＵＥがセル無線ネットワーク一時識別子（Ｃ−ＲＮＴＩ）および／または設定されたスケジューリング無線ネットワーク一時識別子（ＣＳ−ＲＮＴＩ）によってスクランブルされたＣＲＣ（巡回冗長検査）を有するＤＣＩフォーマットによる対応する指示および／または上位レイヤによる設定を受信する場合、スロットのシンボルのセットにおいて物理下りリンク共有チャネル（ＰＤＳＣＨ）および／またはチャネル状態情報ベース参照信号（ＣＳＩ−ＲＳ）を受信することを含み得る。
【００３７】
代替的かつ／あるいは追加的に、１つ以上の動作は、ＵＥが、Ｃ−ＲＮＴＩ、ＣＳ−ＲＮＴＩ、半永続（ＳＰ）チャネル状態情報（ＣＳＩ）無線ネットワーク一時識別子（ＲＮＴＩ）（ＳＰ−ＣＳＩ−ＲＮＴＩ）および／または送信電力制御（ＴＰＣ）ＳＲＳ−ＲＮＴＩ（ＴＰＣ−ＳＲＳ−ＲＮＴＩ）によってスクランブルされたＣＲＣフォーマットを有するＤＣＩフォーマットによって対応する指示を受信する場合、スロットのシンボルのセットにおいて物理上りリンク共有チャネル（ＰＵＳＣＨ）、物理的上りリンク制御チャネル（ＰＵＣＣＨ）、物理ランダムアクセスチャネル（ＰＲＡＣＨ）、および／またはサウンディング参照信号（ＳＲＳ）を送信すること、ＳＲＳ伝送をトリガすることを含み得る。
【００３８】
代替的かつ／あるいは追加的に、ＵＥが、スロットのシンボルのセットにおいてＰＤＣＣＨ、ＰＤＳＣＨおよび／またはＣＳＩ−ＲＳを受信するように上位レイヤによって設定される場合、ＵＥがスロットのシンボルのセットにおいてＰＵＳＣＨ、ＰＵＣＣＨ、ＰＲＡＣＨおよび／またはＳＲＳを送信することをＵＥに指示する、Ｃ−ＲＮＴＩ、ＣＳ−ＲＮＴＩ、ＳＰ−ＣＳＩ−ＲＮＴＩおよび／またはＴＰＣ−ＳＲＳ−ＲＮＴＩによってスクランブルされたＣＲＣフォーマットを有するＤＣＩフォーマットをＵＥが検出しない場合、１つ以上の動作は、ＰＤＣＣＨ、ＰＤＳＣＨおよび／またはＣＳＩ−ＲＳを受信することを含み得る。代替的かつ／あるいは追加的に、ＵＥは、スロットのシンボルのセットにおいてＰＤＣＣＨ、ＰＤＳＣＨおよび／またはＣＳＩ−ＲＳを受信しなくてもよく、スロットのシンボルのセットにおいてＰＵＳＣＨ、ＰＵＣＣＨ、ＰＲＡＣＨおよび／またはＳＲＳを送信し得る。
【００３９】
代替的かつ／あるいは追加的に、ＵＥが、スロットのシンボルのセットにおいて周期的ＳＲＳ、ＰＵＣＣＨ、ＰＵＳＣＨおよび／またはＰＲＡＣＨを送信するように上位レイヤによって設定される場合、ＵＥがスロットのシンボルのセットにおいてＰＤＳＣＨおよび／またはＣＳＩ−ＲＳを受信することをＵＥに指示する、Ｃ−ＲＮＴＩおよび／またはＣＳ−ＲＮＴＩによってスクランブルされたＣＲＣフォーマットを有するＤＣＩフォーマットを検出しない場合、ＵＥは、スロットのシンボルのセットにおいて周期的ＳＲＳ、ＰＵＣＣＨ、ＰＵＳＣＨおよび／またはＰＲＡＣＨを送信するものとする。代替的かつ／あるいは追加的に、ＵＥは、スロットのシンボルのセットにおいて、周期的ＳＲＳ、ＰＵＣＣＨ、ＰＵＳＣＨおよび／またはＰＲＡＣＨを送信しなくてもよい。
【００４０】
上位レイヤパラメータUL-DL-configuration-common、UL-DL-configuration-common-Set2、および／またはUL-DL-configuration-dedicatedによってＵＬとして指示されるスロットのシンボルのセットについて、ＵＥに提供されるとき、ＵＥは、スロットのシンボルのセットにおいてＰＤＣＣＨ、ＰＤＳＣＨ、またはＣＳＩ−ＲＳを受信しなくてもよい。
【００４１】
上位レイヤパラメータUL-DL-configuration-common、UL-DL-configuration-common-Set2、および／またはUL-DL-configuration-dedicatedによってＤＬとしてＵＥに指示されるスロットのシンボルのセットについて、ＵＥに提供されるとき、ＵＥは、スロットのシンボルのセットにおいてＰＵＳＣＨ、ＰＵＣＣＨ、ＰＲＡＣＨ、またはＳＲＳを送信しなくてもよい。
【００４２】
上位レイヤパラメータSSB-transmitted-SIB1および／またはＳＳＢ-transmittedによって指示されるスロットのシンボルのセットについて、ＵＥに提供されるとき、ＳＳ／ＰＢＣＨブロックの受信のために、ＵＥは、スロットのシンボルのセットにおいてＰＵＳＣＨ、ＰＵＣＣＨ、ＰＲＡＣＨおよび／またはＳＲＳを送信しなくてもよい。
【００４３】
ＵＥがＤＣＩフォーマット１＿１によって、複数のスロットにわたってＰＤＳＣＨを受信するようにスケジューリングされる場合、および／または上位レイヤパラメータUL-DL-configuration-common、UL-DL-configuration-common-Set2および／またはUL-DL-configuration-dedicatedが、ＵＥに提供されるとき、複数のスロットからのスロットについて、ＵＥがそのスロットにおいてＰＤＳＣＨの受信にスケジューリングされるシンボルのセットからの少なくとも１つのシンボルがＵＬシンボルであることを指示する場合、ＵＥは、そのスロットにおいてＰＤＳＣＨを受信しなくてもよい。
【００４４】
ＵＥがＤＣＩフォーマット０＿１によって、複数のスロットにわたってＰＵＳＣＨ送信のためにケジューリングされる場合、および／またはUL-DL-configuration-common、UL-DL-configuration-common-Set2および／またはUL-DL-configuration-dedicatedが、ＵＥに提供されるとき、ＵＥは、複数のスロットからのスロットに対して、ＵＥがそのスロットにおいてＰＵＳＣＨ送信スケジューリングされるシンボルのセットからの少なくとも１つのシンボルが、ＤＬシンボルである場合、ＵＥは、そのスロットにおいてＰＵＳＣＨを送信しなくてもよい。
【００４５】
いくつかの例では、ＵＥには、上位レイヤパラメータSFI-applicable-cellsが設定され得る。ＵＥがパラメータＳＦＩ−ＰＤＣＣＨを有する上位レイヤによって設定される場合、ＵＥには、ＤＣＩフォーマット２＿０を搬送するＰＤＣＣＨを監視するために、上位レイヤパラメータＳＦＩ−ＲＮＴＩによって提供されるＳＦＩ−ＲＮＴＩと、上位レイヤパラメータSFI-cell-to-SFIによるサービングセルのセットが設定され得る。いくつかの例では、サービングセルのセットのうちの各サービングセルについて、ＵＥには、上位レイヤパラメータSFI-DCI-payload-lengthによるＤＣＩフォーマット２＿０のペイロードサイズ、上位レイヤパラメータcell-to-SFIによるＤＣＩフォーマット２＿０におけるＳＦＩインデックスフィールドの位置、上位レイヤパラメータSFI-aggregation-levelによるＰＤＣＣＨ候補のための制御チャネル要素（ＣＣＥ）アグリゲーションレベルＬＳＦＩ、および／または上位レイヤパラメータSFI-Num-PDCCH-candによるＣＣＥアグリゲーションレベルＬＳＦＩのための
【数８】
2019176476.tif 000010
のＰＤＣＣＨ候補の数が提供され得る。
【００４６】
ＤＣＩフォーマット２＿０は、サービングセルのためのＤＣＩフォーマット２＿０におけるSFI-indexフィールドの値を、上位レイヤパラメータslot-format-combinationによって提供されるようにある数のスロットに対するスロットフォーマットの組み合わせにマッピングすることによって、各ＤＬ帯域幅部分ＢＷＰおよび／またはサービングセルの各ＵＬ  ＢＷＰに対するある数のスロットにおける各スロットのためのスロットフォーマットを指示する。SFI-indexフィールドの値とスロットフォーマットの組み合わせのマッピングは、上位レイヤパラメータslot-format-combination-indexによって提供される。スロットフォーマットは、対応するインデックスによって識別される。
【００４７】
スロットのシンボルのセットについて、ＵＥは、上りリンクシンボルとしてスロットのシンボルのセットを指示するＤＣＩフォーマット２＿０を検出すること、および／またはＵＥが、スロットのシンボルのセットにおいてＰＤＳＣＨおよび／またはＣＳＩ−ＲＳを受信することをＵＥに指示する、Ｃ−ＲＮＴＩによってスクランブルされたＣＲＣを有するＤＣＩフォーマットを検出することを期待されない。
【００４８】
スロットのシンボルのセットについて、ＵＥは、下りリンクシンボルとしてスロットのシンボルのセットを指示するＤＣＩフォーマット２＿０を検出すること、および／またはＵＥが、スロットのシンボルのセットにおいてＰＵＳＣＨ、ＰＵＣＣＨ、ＰＲＡＣＨおよび／またはＳＲＳをＵＥに送信することを指示する、Ｃ−ＲＮＴＩによってスクランブルされたＣＲＣを有するＤＣＩフォーマットを検出することを期待されない。
【００４９】
上位レイヤパラメータUL-DL-configuration-common、UL-DL-configuration-common-Set2および／またはUL-DL-configuration-dedicatedによりＤＬおよび／またはＵＬシンボルとして指示されるスロットのシンボルのセットについて、ＵＥに提供されるとき、ＵＥは、それぞれ、ＵＬおよび／またはＤＬシンボルとして、かつ／あるいは、フレキシブルなものとして、スロットのシンボルのセットを指示するＤＣＩフォーマット２＿０を検出することを期待されない。
【００５０】
上位レイヤパラメータUL-DL-configuration-common、UL-DL-configuration-common-Set2および／またはUL-DL-configuration-dedicatedによってフレキシブルシンボルとして指示されるスロットのシンボルのセットについて、ＵＥに提供されるとき、および／または上位レイヤパラメータUL-DL-configuration-common、UL-DL-configuration-common-set2および／またはUL-DL-configuration-dedicatedがＵＥに提供されないとき、および／またはＵＥが、スロットのためのフォーマットを提供するＤＣＩフォーマット２＿０を検出する場合、1つ以上の第２の動作が実行され得る。例えば、シンボルのセットからの１つ以上のシンボルは、ＰＤＣＣＨ監視のためにＵＥに設定（かつ／あるいは送信）された制御リソースセットにおけるシンボルであり、ＵＥは、ＤＣＩフォーマット２＿０が１つ以上のシンボルがＤＬシンボルであることを指示する場合にのみ、制御リソースセットにおいてＰＤＣＣＨを受信し得る。代替的かつ／あるいは追加的に、ＤＣＩフォーマット２＿０がフレキシブルとしてスロットのシンボルのセットを指示し、かつ／あるいは、ＵＥが、スロットのシンボルのセットにおいてＰＤＳＣＨおよび／またはＣＳＩ−ＲＳを受信するようにＵＥに指示する、Ｃ−ＲＮＴＩによりスクランブルされたＣＲＣを有するＤＣＩフォーマットを検出する場合、ＵＥは、Ｃ−ＲＮＴＩによりスクランブルされたＣＲＣを有するＤＣＩフォーマットの指示に従ってよい。代替的かつ／あるいは追加的に、ＤＣＩフォーマット２＿０がフレキシブルとしてスロットのシンボルのセットを指示し、かつ／あるいは、ＵＥが、スロットのシンボルのセットにおいてＰＵＳＣＨ、ＰＵＣＣＨ、ＰＲＡＣＨおよび／またはＳＲＳを送信するように指示する、Ｃ−ＲＮＴＩによってスクランブルされたＣＲＣを有するＤＣＩフォーマットを検出する場合、ＵＥは、Ｃ−ＲＮＴＩによってスクランブルされたＣＲＣを有するＤＣＩフォーマットの指示に従ってよい。代替的かつ／あるいは追加的に、ＤＣＩフォーマット２＿０がフレキシブルとしてスロットのシンボルのセットを指示し、かつ／あるいは、ＵＥが、ＰＤＳＣＨまたはＣＳＩ−ＲＳを受信するためにＵＥに指示する、Ｃ−ＲＮＴＩまたはＣＳ−ＲＮＴＩによってスクランブルされたＣＲＣを有するＤＣＩフォーマットを検出せず、かつ／あるいは、ＵＥが、スロットのシンボルのセットにおいてＰＵＳＣＨ、ＰＵＣＣＨ、ＰＲＡＣＨおよび／またはＳＲＳを送信するためにＵＥに指示する、Ｃ−ＲＮＴＩ、ＣＳ−ＲＮＴＩ、ＳＰ−ＣＳＩ−ＲＮＴＩおよび／またはＴＰＣ−ＳＲＳ−ＲＮＴＩによってスクランブルされたＣＲＣを有するＤＣＩフォーマットを検出しない場合、ＵＥは、シンボルのセットにおいて送信かつ／あるいは受信しなくてよい。代替的かつ／あるいは追加的に、ＵＥが、スロットのシンボルのセットにおいて周期的ＳＲＳ、ＰＵＣＣＨ、ＰＵＳＣＨおよび／またはＰＲＡＣＨの上位レイヤ送信によって設定される場合、ＵＥは、ＤＣＩフォーマット２＿０がスロットのシンボルのセットをＵＬシンボルとして示す場合にのみ、スロットのシンボルのセットにおいて周期的ＳＲＳ、ＰＵＣＣＨ、ＰＵＳＣＨおよび／またはＰＲＡＣＨを送信し得る。
【００５１】
ＵＥが、スロットのシンボルのセットにおいて周期的なＳＲＳ、ＰＵＣＣＨ、ＰＵＳＣＨおよび／またはＰＲＡＣＨの送信で上位レイヤによって設定され、かつ／あるいは、ＵＥが、ＤＬまたはフレキシブルとしてシンボルのセットからのシンボルのサブセットを指示するＤＣＩフォーマット２＿０を検出する場合、ＵＥは、対応するＰＵＳＣＨタイミング機能に対するＰＵＳＣＨ準備時間Ｎ２より小さいある数のシンボルの後、ＵＥがＤＣＩフォーマット２＿０を検出する制御リソースセットの最後のシンボルと比較して、発生するシンボルのサブセットからのシンボルにおける送信をキャンセルすることは期待されず、かつ／あるいは、ＵＥは、スロットの残りのシンボルにおける送信をキャンセルし得る。
【００５２】
ＵＥが、スロットのシンボルのセットにおいてＣＳＩ−ＲＳおよび／またはＰＤＳＣＨの受信で上位レイヤによって設定される場合、ＵＥが、ＤＬとしてスロットのシンボルのセットを指示するＤＣＩフォーマット２＿０を検出する場合にのみ、ＵＥは、スロットのシンボルのセットにおいてＣＳＩ−ＲＳおよび／またはＰＤＳＣＨを受信するものとする。
【００５３】
ＵＥが、スロットのシンボルのセットにおいてＵＬグラントおよび／またはＰＲＡＣＨなしで周期的ＳＲＳ、ＰＵＣＣＨ、ＰＵＳＣＨおよび／またはＰＲＡＣＨの上位レイヤ送信によって設定される場合、ＵＥが、上りリンクとしてスロットのシンボルのセットおよび／またはＤＬおよび／またはフレキシブルとしてスロットのシンボルのセットを指示するＤＣＩフォーマット２＿０を検出し、ＵＥが、ＤＣＩフォーマット２＿０を検出する制御リソースセットの最後のシンボルと、シンボルのセットの最初のシンボルとの間のシンボルの数が、対応するＰＵＳＣＨタイミング機能に対するＰＵＳＣＨ準備時間Ｎ２よりも小さい場合にのみ、ＵＥは、スロットのシンボルのセットにおいて周期的ＳＲＳ、ＰＵＣＣＨ、ＰＵＳＣＨおよび／またはＰＲＡＣＨを送信し得る。
【００５４】
ＵＥは、ＰＤＣＣＨ監視のためにＵＥに設定される、かつ／または送信される制御リソースセットにおけるフレキシブルシンボルが、フレキシブルおよび／または上りリンクとしてスロットのシンボルのセットを指示するＤＣＩフォーマット２＿０を検出しない場合、ＤＬシンボルであると想定する。
【００５５】
上位レイヤパラメータUL-DL-configuration-common、UL-DL-configuration-common-Set2、および／またはUL-DL-configuration-dedicatedによってフレキシブルとして指示されるスロットのシンボルのセットについて、ＵＥに提供されるとき、および／または上位レイヤパラメータUL-DL-configuration-common、UL-DL-configuration-common-Set2、および／またはUL-DL-configuration-dedicatedがＵＥに提供されないとき、および／またはＵＥがスロットのためのフォーマットを提供するＤＣＩフォーマット２＿０を検出しない場合、ＵＥが、Ｃ−ＲＮＴＩ又はＣＳ−ＲＮＴＩによってスクランブルされたＣＲＣを有するＤＣＩフォーマットによる対応する指示、および／または上位レイヤによる設定を受信する場合、ＵＥは、スロットのシンボルのセットにおけるＰＤＳＣＨおよび／またはＣＳＩ−ＲＳを受信し得る。代替的かつ／あるいは追加的に、ＵＥが、Ｃ−ＲＮＴＩ、ＣＳ−ＲＮＴＩ、ＳＰ−ＣＳＩ−ＲＮＴＩおよび／またはＴＰＣ−ＳＲＳ−ＲＮＴＩによってスクランブルされたＣＲＣを有するＤＣＩフォーマットによる対応する指示およびトリガＳＲＳ送信、および／または上位レイヤによる設定を受信する場合、ＵＥは、スロットのシンボルのセットにおいてＰＵＳＣＨ、ＰＵＣＣＨ、ＰＲＡＣＨおよび／またはＳＲＳを送信してもよい。代替的かつ／あるいは追加的に、ＵＥはＰＤＣＣＨを受信してもよい。代替的かつ／あるいは追加的に、ＵＥが、スロットのシンボルのセットにおいてＰＤＳＣＨおよび／またはＣＳＩ−ＲＳの受信のために上位レイヤによって設定される場合、ＵＥは、スロットのシンボルのセットにおいてＰＤＳＣＨおよび／またはＣＳＩ−ＲＳを受信しなくてもよい。代替的かつ／あるいは追加的に、ＵＥが、スロットのシンボルのセットにおいて周期的ＳＲＳ、ＰＵＣＣＨ、ＰＵＳＣＨおよび／またはＰＲＡＣＨの送信のために上位レイヤによって設定される場合、ＵＥは、スロットのシンボルのセットにおいて周期的ＳＲＳ、ＰＵＣＣＨ、ＰＵＳＣＨおよび／またはＰＲＡＣＨを送信しなくてもよい。
【００５６】
設定されたＤＣＩフォーマット２＿０が、次の設定されたＤＣＩフォーマット２＿０監視機会の前に受信されない場合、ＵＥは、１つ以上のＲＲＣ設定された送信をキャンセルしてよく、かつ／あるいは、ＵＥは、半静的に設定されたフレキシブルシンボル中にＲＲＣ設定されたＤＬ伝送が送信されないと想定し得る。
【００５７】
いくつかの例では、グループ共通ＰＤＣＣＨは、期間（例えば、１つ以上のスロット）に対する１つ以上のスロットフォーマットの組み合わせを指示し得る。１つ以上のスロットフォーマットの組み合わせおよび／または期間は、上位レイヤシグナリングによって設定され、かつ／あるいは、指示され得る。スロットフォーマットの組み合わせの期間は、グループ共通ＰＤＣＣＨの監視期間（監視周期とも呼ばれる）とは独立して設定され得る。いくつかの例では、グループ共通ＰＤＣＣＨの期間がグループ共通ＰＤＣＣＨの監視期間よりも短い場合、グループ共通ＰＤＣＣＨに関連する監視期間内で、１つ以上のスロットフォーマットがグループ共通ＰＤＣＣＨによって指示されない１つ以上のスロットが存在し得る。
【００５８】
代替的かつ／あるいは追加的に、グループ共通ＰＤＣＣＨの期間がグループ共通ＰＤＣＣＨの監視期間よりも長い場合、グループ共通ＰＤＣＣＨによって指示される組み合わせは、次の監視期間における１つ以上のスロットをカバーし得る。いくつかの例では、次の監視期間において別のグループ共通ＰＤＣＣＨが存在し得る。従って、１つ以上のスロットは、２つのグループ共通ＰＤＣＣＨによってカバー（かつ／あるいは指示）され得る。代替的かつ／あるいは追加的に、次の監視期間においてグループ共通ＰＤＣＣＨが存在しないことがある（例えば、次の監視期間におけるグループ共通ＰＤＣＣＨのための監視機会が、前の監視期間におけるグループ共通ＰＤＣＣＨによってＵＬシンボル、フレキシブルシンボル、および／または予約シンボルに設定され得るため）。ＵＥがより保守的なスロットフォーマットの想定（例えば、設定された送信および／または受信に基づく送信および／または受信）にフォールバックする（falling  back）（かつ／あるいは使用する）場合、グループ共通ＰＤＣＣＨが受信されないときは、ＵＥによって想定されるスロットフォーマットは非効率的となり得る。例えば、より保守的なスロットフォーマットをフォールバックする（かつ／あるいは使用する）例は、ＵＥが無線リソース制御（ＲＲＣ）設定された送信をキャンセルし、かつ／あるいは、ＲＲＣ設定された送信が半静的に設定されたフレキシブルシンボル中に送信されないと想定する場合である。グループ共通ＰＣＣＨが受信されないときに、ＵＥがスロットフォーマットを効率的に決定する必要があり得る。
【００５９】
図８は、ＤＣＩで搬送されるスロットフォーマットの組み合わせが、異なる数のスロットおよび／または期間と関連し得る例示的なシステム８００を示す。いくつかの例では、ＤＣＩ１は、監視機会８３０（例えば、グループ共通ＰＤＣＣＨのための監視機会）を介して（例えば、ＵＥによって）受信され得る。ＤＣＩ１は、監視期間８３５よりも短い期間８０５に対するスロットフォーマットの組み合わせを指示し得る。いくつかの例では、監視期間８３５に関連する１つ以上のスロットに対する１つ以上の動的ＳＦＩは、未定とし得る（、かつ／あるいは、ＤＣＩ１に存在しないことがある）（例えば、１つ以上のスロットに対する１つ以上の動的ＳＦＩは、ＤＣＩ１および／または異なるＤＣＩによって指示されないことがある）。
【００６０】
代替的かつ／あるいは追加的に、ＤＣＩ２は、監視機会（例えば、グループ共通ＰＤＣＣＨのための監視機会）を介して受信され得る。ＤＣＩ２は、期間８１０（監視期間８４０よりも短くなくても、かつ／あるいは、監視期間８４０よりも長くなくてもよい）に対するスロットフォーマットの組み合わせを指示し得る。
【００６１】
代替的かつ／あるいは追加的に、ＤＣＩ３は、監視機会（例えば、グループ共通ＰＤＣＣＨのための監視機会）を介して受信され得る。ＤＣＩ３は、監視期間８４５よりも長い期間８１５に対するスロットフォーマットの組み合わせを指示し得る。例えば、期間８１５に対するスロットフォーマットの組み合わせは、監視期間８４５および／または監視期間８５０に関連する１つ以上のスロットフォーマットを指示し得る。
【００６２】
代替的かつ／あるいは追加的に、ＤＣＩ４は、監視機会（例えば、グループ共通ＰＤＣＣＨのための監視機会）を介して受信され得る。ＤＣＩ４は、監視期間８５０に関連する期間８２０に対するスロットフォーマットの組み合わせを指示し得る。
【００６３】
いくつかの例では、期間８１５に対するスロットフォーマットの組み合わせは、監視期間８５０の１つ以上の重複するスロットに関連する１つ以上の第１のスロットフォーマットを指示し得、かつ／あるいは、期間８２０に対するスロットフォーマットの組み合わせは、監視期間８５０の１つ以上の重複するスロットに関連する１つ以上の第２のスロットフォーマットを指示し得る。いくつかの例では、１つ以上の重複するスロットに関連する１つ以上の第１のスロットフォーマットは、１つ以上の重複するスロットに関連する１つ以上の第２のスロットフォーマットと同じであり得る。代替的かつ／あるいは追加的に、１つ以上の重複するスロットに関連する１つ以上の第１のスロットフォーマットは、１つ以上の重複するスロットに関連する１つ以上の第２のスロットフォーマットとは異なり得る。
【００６４】
一例では、ＤＣＩ３に関連する１つ以上の第１のスロットフォーマットは、ＤＬおよび／またはＵＬである（例えば、ＤＬシンボルおよび／またはＵＬシンボルである）、１つ以上の重複するスロットのＯＦＤＭシンボルを指示し得、かつ／あるいは、ＤＣＩ４に関連する１つ以上の第２のスロットフォーマットは、フレキシブルである（例えば、フレキシブルシンボルである）ＯＦＤＭを指示し得る。
【００６５】
別の例では、ＤＣＩ３に関連する１つ以上の第１のスロットフォーマットは、フレキシブルである（例えば、フレキシブルシンボルである）、１つ以上の重複するスロットのＯＦＤＭシンボルを指示し得、かつ／あるいは、ＤＣＩ４に関連する１つ以上の第２のスロットフォーマットは、ＤＬおよび／またはＵＬである（例えば、ＤＬシンボルおよび／またはＵＬシンボルである）ＯＦＤＭを指示し得る。
【００６６】
別の例では、ＤＣＩ３に関連する１つ以上の第１のスロットフォーマットは、ＵＬである（例えば、ＵＬシンボルである）１つ以上の重複するスロットのＯＦＤＭシンボルを指示し得、かつ／あるいは、ＤＣＩ４に関連する１つ以上の第２のスロットフォーマットは、ＤＬである（例えば、ＤＬシンボルである）ＯＦＤＭを指示し得る。
【００６７】
別の例では、ＤＣＩ３に関連する１つ以上の第１のスロットフォーマットは、ＤＬ（例えば、ＤＬシンボルである）である１つ以上の重複するスロットのＯＦＤＭシンボルを指示し得、かつ／あるいは、ＤＣＩ４に関連する１つ以上の第２のスロットフォーマットは、ＵＬである（例えば、ＵＬシンボルである）ＯＦＤＭを指示し得る。
【００６８】
いくつかの例では、（ＳＦＩのための）グループ共通ＰＤＣＣＨがＵＥによって受信されないことがある。第１の状況では、ＵＥは、グループ共通ＰＤＣＣＨに関連する監視を実行し得、かつ／あるいは、監視を実行している間、グループ共通ＰＤＣＣＨを検出しないことがある。一例において、第１の状況は、基地局がグループ共通ＰＤＣＣＨをＵＥ（および／または１つ以上の他のＵＥ）に送信しなかったために発生し得る。代替的かつ／あるいは追加的に、第１の状況は、基地局がグループ共通ＰＤＣＣＨをＵＥ（および／または１つ以上の他のＵＥ）に送信しなかった、かつ／あるいは、ＵＥがグループ共通ＰＤＣＣＨを（正しく）受信かつ／あるいはデコードしなかったために発生し得る。従って、ＵＥは、基地局が動的ＳＦＩを更新しようとしたかどうかを区別しないことがある（例えば、動的ＳＦＩを更新することは、1つ以上のＯＦＤＭシンボルを予約された、フレキシブル等のものに設定することに関連し得る）。
【００６９】
第２の状況では、ＵＥは、監視機会において、グループ共通ＰＤＣＣＨに関連する監視を実行しないことがある。一例において、第２の状況は、監視機会および／またはグループ共通ＰＤＣＣＨに関連するスロットに関連するスロットフォーマットのために発生し得る。
【００７０】
例えば、監視機会に関連するスロットの１つ以上のシンボル（例えば、１つのシンボル、ある割合のシンボル、すべてのシンボル等）が、ＲＲＣ設定によってＵＬとして設定される場合（例えば、１つ以上のシンボルが１つ以上のＵＬシンボルとして設定される場合）、ＵＥは、監視機会をスキップし得る（かつ／あるいは、グループ共通ＰＤＣＣＨに関連する監視を実行しなくてもよい）。
【００７１】
代替的かつ／あるいは追加的に、監視機会に関連するスロットの１つ以上のシンボル（例えば、１つのシンボル、ある割合のシンボル、すべてのシンボル等）が、ＵＬおよび／またはフレキシブルとして前のグループ共通ＰＤＣＣＨによって設定される場合（例えば、１つ以上のシンボルが、１つ以上のＵＬおよび／またはフレキシブルシンボルとして設定される場合）、ＵＥは、監視機会をスキップし得る（かつ／あるいは、グループ共通ＰＤＣＣＨに関連する監視を実行しなくてもよい）。
【００７２】
代替的かつ／あるいは追加的に、監視機会に関連するスロットの１つ以上のシンボル（例えば、１つのシンボル、ある割合のシンボル、すべてのシンボル等）が、ＵＬとしてＵＬグラントによって設定される場合（例えば、１つ以上のシンボルが１つ以上のＵＬシンボルとして設定される場合）、ＵＥは、監視機会をスキップし得る（かつ／あるいは、グループ共通ＰＤＣＣＨに関連する監視を実行しなくてもよい）。
【００７３】
代替的かつ／あるいは追加的に、監視機会に関連するスロット内のＰＤＣＣＨ復号化能力および／またはＰＤＣＣＨ監視能力を超過する場合、ＵＥは、監視機会をスキップし得る（かつ／あるいは、グループ共通ＰＤＣＣＨに関連する監視を実行しなくてもよい）。
【００７４】
第１の状況と第２の状況の違いは、第２の状況では、ＵＥが、ＵＥが監視機会をスキップする理由を決定かつ／あるいは識別することができ、かつ／あるいは、基地局がグループ共通ＰＤＣＣＨを送信することができるか（どうか）を決定することができることである。代替的かつ／あるいは追加的に、ＵＥが、監視機会に関連する１つ以上のスロットに関連する１つ以上のスロットフォーマットのために監視機会をスキップする場合、基地局は、監視機会に関連する監視期間内のスロットに対する動的ＳＦＩ更新を実行することができないことがある。従って、ＵＥがより保守的なスロットフォーマットの想定に後退（かつ／あるいは使用）しない場合、より効率的である可能性がある。
【００７５】
図９は、第１の状況および第２の状況の１つ以上の例に関連する例示的なシステム９００を示す。いくつかの例では、ＤＣＩ１は（例えば、基地局によって）送信されないことがあり、かつ／あるいは、ＤＣＩ１は（例えば、ＵＥによって）受信されないことがある。例えば、ＤＣＩ１は、基地局によって監視機会９１５を介してＵＥに送信ないことがある。従って、監視期間９４０に関連する１つ以上のスロットに関連する１つ以上のスロットフォーマットは、グループ共通ＰＤＣＣＨによって指示されないことがあり、かつ／あるいは、１つ以上のスロットに関連する１つ以上のスロットフォーマットは、決定されていないことがある。ＵＥは、グループ共通ＰＤＣＣＨに関連する監視を実行してもよく、かつ／あるいは、監視機会９１５中に監視を実行する間、ＤＣＩ１を検出かつ／あるいは受信しなくてもよい。
【００７６】
代替的かつ／あるいは追加的に、ＤＣＩ２は基地局からＵＥに送信されてもよく、かつ／あるいは、ＵＥがＤＣＩ２を受信しなくてもよい。例えば、ＤＣＩ２は、干渉、チャネル状態等の１つ以上のために（ＵＥによって）受信されないことがある。従って、監視期間９４５に関連する１つ以上のスロットに関連する１つ以上のスロットフォーマットは、グループ共通ＰＤＣＣＨによって指示されないことがあり、かつ／あるいは、決定されていないことがある。代替的かつ／あるいは追加的に、ＵＥは、グループ共通ＰＤＣＣＨに関連する監視を実行してもよく、かつ／あるいは、監視機会９２０中に監視を実行する間、ＤＣＩ２を検出かつ／あるいは受信しなくてもよい。
【００７７】
代替的かつ／あるいは追加的に、ＤＣＩ３は、基地局によってＵＥに送信されても（かつ／あるいはされなくてもよく）、かつ／あるいは、ＵＥは、監視機会９２５において、グループ共通ＰＤＣＣＨに関連する監視を実行しなくてもよい。例えば、ＵＥは、（監視機会９２５の）１つ以上のスロットおよび／または１つ以上のシンボルに関連する１つ以上のスロットフォーマット設定のため、監視機会９２５においてグループ共通ＰＤＣＣＨに関連する監視を実行しなくてもよい。従って、監視期間９５０に関連する１つ以上のスロットに関連する１以上のスロットフォーマットは、グループ共通ＰＤＣＣＨによって指示されないことがあり、かつ／あるいは、決定されていないことがある。
【００７８】
いくつかの例では、ＤＣＩ４は、監視機会９３０（例えば、グループ共通ＰＤＣＣＨのための監視機会）を介して受信されてもよい。ＤＣＩ４は、監視期間９５５よりも短い期間９０５に対するスロットフォーマットの組み合わせを指示し得る。例えば、ＤＣＩ４は、監視期間９５５に関連する１つ以上のスロット９１０の１つ以上のスロットフォーマットを指示しないことがあり、（かつ／あるいは、１つ以上のスロット９１０の１つ以上のスロットフォーマットは決定されていないことがある）。
【００７９】
ＵＥがグループ共通ＰＤＣＣＨを首尾よく受信しないとき、ＵＥがスロットに関連するスロットフォーマットを決定する必要がある可能性がある。しかし、既存の技術では、ＵＥがグループ共通ＰＤＣＣＨを首尾よく受信しないとき（例えば、ＲＲＣ設定された送信および／またはＲＲＣ設定された受信を考慮して）、ＵＥおよび／または基地局がどのようにスロットフォーマットを想定かつ／あるいは決定すべきかが依然として不明である。
【００８０】
図１０は、ＤＣＩで搬送されるスロットフォーマットの組み合わせが、異なる数のスロットおよび／または期間に関連し得る例示的なシステム１０００を示す。いくつかの例では、ＤＣＩ１は、監視機会（例えば、グループ共通ＰＤＣＣＨのための監視機会）を介して受信され得る。ＤＣＩ１は、監視期間１０１０よりも長い期間１００５に対するスロットフォーマットの組み合わせを指示し得る。例えば、期間１００５に対するスロットフォーマットの組み合わせは、監視期間１０１０および／または監視期間１０１５に関連する１つ以上のスロットフォーマットを指示し得る。代替的かつ／あるいは追加的に、ＤＣＩ２は、基地局によって送信されないことがあり、かつ／あるいは、ＤＣＩ２は、ＵＥによって受信されないことがある。
【００８１】
代替的かつ／あるいは追加的に、ＤＣＩ３は、監視機会（例えば、グループ共通ＰＤＣＣＨのための監視機会）を介して受信され得る。ＤＣＩ３は、監視期間１０２５よりも長い期間１０２０に対するスロットフォーマットの組み合わせを指示し得る。例えば、期間１０２０に対するスロットフォーマットの組み合わせは、監視期間１０２５および／または監視期間１０３０に関連する１つ以上のスロットフォーマットを指示し得る。代替的かつ／あるいは追加的に、ＤＣＩ４は、基地局によってＵＥに送信されることがあり、かつ／あるいは、ＵＥは、（干渉、チャネル状態の１つ以上により）ＤＣＩ４を受信しないことがある。
【００８２】
代替的かつ／あるいは追加的に、ＤＣＩ５は、監視機会（例えば、グループ共通ＰＤＣＣＨのための監視機会）を介して受信され得る。ＤＣＩ５は、監視期間１０４０よりも長い期間１０３５に対するスロットフォーマットの組み合わせを指示し得る。例えば、期間１０３５に対するスロットフォーマットの組み合わせは、監視期間１０４０および／または監視期間１０４５に関連する１つ以上のスロットフォーマットを指示し得る。代替的かつ／あるいは追加的に、ＤＣＩ６は、基地局によってＵＥに送信されても（かつ／あるいはされなくてもよく）、かつ／あるいは、ＵＥは、（監視機会の）１つ以上のスロットおよび／または１つ以上のシンボルに関連する１つ以上のスロットフォーマット設定のために、監視機会を介してＤＣＩ６を監視しないことがある（、かつ／あるいは、監視機会を介してＤＣＩ６を受信しないことがある）。例えば、ＤＣＩ５は、フレキシブルおよび／またはＵＬである監視機会に関連する１つ以上のシンボル（例えば、１つのシンボル、ある割合のシンボル、すべてのシンボル等）を指示してよく、かつ／あるいは、ＵＥは、監視機会をモニタリングしなくてもよい。
【００８３】
代替的かつ／あるいは追加的に、ＤＣＩ７は、監視機会（例えば、グループ共通ＰＤＣＣＨのための監視機会）を介して受信され得る。ＤＣＩ７は、監視期間１０５５よりも長い期間１０５０に対するスロットフォーマットの組み合わせを指示し得る。例えば、期間１０５０に対するスロットフォーマットの組み合わせは、監視期間１０５５および／または監視期間１０６０に関連する１つ以上のスロットフォーマットを指示し得る。代替的かつ／あるいは追加的に、ＤＣＩ８は、監視機会（例えば、グループ共通ＰＤＣＣＨのための監視機会）を介して受信され得る。ＤＣＩ８は、監視期間１０６０よりも短い期間１０６５に対するスロットフォーマットの組み合わせを指示し得る。代替的かつ／あるいは追加的に、（例えば、ＤＣＩ７によって指示される）期間１０５０に対するスロットフォーマットの組み合わせは、監視期間１０６０の１つ以上のスロットに関連する１つ以上のスロットフォーマットを指示することがあり、かつ／あるいは、（例えば、ＤＣＩ８によって指示される）期間１０６５に対するスロットフォーマットの組み合わせは、（監視期間１０６０の）１つ以上のスロットのためのいかなるスロットフォーマットを指示しないことがある。既存の技術では、ＵＥおよび／または基地局が、（例えば、ＲＲＣ設定された送信および／またはＲＲＣ設定された受信を考慮して）（監視期間１０６０の）１つ以上のスロットに関連するスロットフォーマットをどのように想定かつ／あるいは決定すべきか、かつ／あるいは、ＵＥおよび／または基地局が、ＤＣＩの期間が重複するスロットに関連するスロットフォーマットをどのように想定かつ／あるいは決定すべきかが依然として不明である。
【００８４】
第１の実施形態では、ＵＥがスロットに関連するグループ共通ＰＤＣＣＨを受信しないとき、ＵＥは、スロットにおいて設定された送信および／または設定された受信を処理かつ／あるいは実行する方法を決定することができる。例えば、ＵＥは、スロットに関連する監視機会を介して、スロットに対するグループ共通ＰＤＣＣＨを受信しなくてもよい。
【００８５】
ＵＥがスロットに対するグループ共通ＰＤＣＣＨを受信しない種々の例が考えられ得ることが理解され得る。例えば、ＵＥがスロットに対するグループ共通ＰＤＣＣＨを受信しない例は、以下に説明する条件の１つ以上に関連し得る。さらに、満たされる１つ以上の条件に応じて、スロットにおいて設定された送信および／または設定された受信を処理かつ／あるいは実行するために、以下に説明するアクションの１つ以上を実行してもよく、１つ以上のアクションは、１つ以上の条件に基づいて選択かつ／あるいは実行され得る。
【００８６】
条件Ａは、ＵＥが、スロットに関連する監視機会においてグループ共通ＰＤＣＣＨを監視し、かつ／あるいは、ＵＥが、監視機会においてグループ共通ＰＤＣＣＨを監視している間にグループ共通ＰＤＣＣＨを検出かつ／あるいは受信しない場合に満たされ得る（例えば、その例は図９に示す。ここでは、ＤＣＩ１が基地局によって監視機会９１５を介してＵＥに送信されず、かつ／あるいは、ＤＣＩ２が基地局によってＵＥに送信され、かつ／あるいは、ＵＥが、ＤＣＩ２を受信しない。）。
【００８７】
条件Ｂは、基地局が、スロットに関連する監視機会においてグループ共通ＰＤＣＣＨをＵＥに送信しない場合に満たされ得る（例えば、その例は図９に示す。ここでは、ＤＣＩ１が基地局によって監視機会９１５を介してＵＥに送信されない。）。
【００８８】
条件Ｃは、基地局がグループ共通ＰＤＣＣＨをＵＥに送信し、かつ／あるいは、ＵＥが、スロットに関連する監視機会において（正しく）グループ共通ＰＤＣＣＨ受信かつ／あるいはデコードしない場合に満たされ得る（例えば、その例は図９に示す。ここでは、ＤＣＩ２が基地局によってＵＥに送信され、かつ／あるいは、ＵＥがＤＣＩ２を受信しない。）。
【００８９】
条件Ｄは、ＵＥが、スロットに関連する監視機会においてグループ共通ＰＤＣＣＨを監視しない場合に満たされ得る（例えば、その例は図９に示す。ここでは、ＵＥは、監視機会９２５においてＤＣＩ３に関連する監視を実行しない。）。
【００９０】
条件Ｄ１は、監視機会に関連するスロットの１つ以上のシンボル（例えば、１つのシンボル、ある割合のシンボル、すべてのシンボル等）が前の監視機会において前のグループ共通ＰＤＣＣＨによってＵＬ（シンボル）であるとして設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【００９１】
条件Ｄ２は、監視機会に関連するスロットの１つ以上のシンボル（例えば、１つのシンボル、ある割合のシンボル、すべてのシンボル等）が前の監視機会において前のグループ共通ＰＤＣＣＨによってフレキシブル（シンボル）であるとして設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【００９２】
条件Ｄ３は、監視機会に関連するスロットの１つ以上のシンボル（例えば、１つのシンボル、ある割合のシンボル、すべてのシンボル等）が、上位レイヤ設定によってＵＬ（シンボル）であるとして設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【００９３】
条件Ｄ４は、監視機会に関連するスロットの１つ以上のシンボル（例えば、１つのシンボル、ある割合のシンボル、すべてのシンボル等）が、上位レイヤ設定によってフレキシブル（シンボル）であるとして設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【００９４】
条件Ｅは、ＵＥが、スロットに関連する監視機会においてグループ共通ＰＤＣＣＨを監視し、ＵＥが監視機会においてグループ共通ＰＤＣＣＨを監視している間にグループ共通ＰＤＣＣＨを検出かつ／あるいは受信せず、かつ／あるいは、スロットに関連するスロットフォーマットを示す前のグループ共通ＰＤＣＣＨが、前の監視機会において受信される場合に満たされ得る（例えば、その例は図１０に示す。ここでは、ＤＣＩ２が、基地局によって送信されず、かつ／あるいは、監視機会を介してＵＥによって受信されず、かつ／あるいは、ＤＣＩ１が、前の監視機会を介して受信され、かつ／あるいは、監視機会および／または期間１００５に関連する１つ以上のスロットフォーマットを指示する。その別の例は、図１０に示す。ここでは、ＤＣＩ４が、基地局によって送信され、かつ／あるいは、監視機会を介してＵＥによって受信されず、かつ／あるいは、ＤＣＩ３が、前の監視機会を介して受信され、かつ／あるいは、監視機会および／または期間１０２０に関連する１つ以上のスロットフォーマットを示す。）。
【００９５】
条件Ｆは、基地局が、スロットに関連する監視機会においてグループ共通ＰＤＣＣＨをＵＥに送信せず、かつ／あるいは、スロットに関連するスロットフォーマットを示す前のグループ共通ＰＤＣＣＨが前の監視機会において受信される場合に満たされ得る（例えば、その例は図１０に示す。ここでは、ＤＣＩ２が、基地局によって送信されず、かつ／あるいは、監視機会を介してＵＥによって受信されず、かつ／あるいは、ＤＣＩ１が、前の監視機会を介して受信され、かつ／あるいは、監視機会および／または期間１００５に関連する１つ以上のスロットフォーマットを示す。）。
【００９６】
条件Ｇは、基地局が、グループ共通ＰＤＣＣＨをＵＥに送信し、ＵＥが、スロットに関連する監視機会においてグループ共通ＰＤＣＣＨを正しく（首尾よく）受信かつ／あるいはデコードせず、かつ／あるいは、スロットに関連するスロットフォーマットを示す前のグループ共通ＰＤＣＣＨが前の監視機会において受信される場合に満たされ得る（その例は、図１０に示す。ここでは、ＤＣＩ４が、基地局によって送信され、かつ／あるいは、監視機会を介してＵＥによって受信されず、かつ／あるいは、ＤＣＩ３が、前の監視機会を介して受信され、かつ／あるいは、監視機会および／または期間１０２０に関連する１つ以上のスロットフォーマットを示す。）。
【００９７】
条件Ｈは、ＵＥが、スロットに関連する監視機会においてグループ共通ＰＤＣＣＨを監視せず、かつ／あるいは、スロットに関連するスロットフォーマットを示す前のグループ共通ＰＤＣＣＨが、前の監視機会において受信される場合に満たされ得る（その例は、図１０に示す。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【００９８】
条件Ｈ１は、ＵＥが、スロットに関連する監視機会においてグループ共通ＰＤＣＣＨを監視せず、かつ／あるいは、ＵＬ（シンボル）であるとして監視機会に関連する１つ以上のシンボル（例えば、１つのシンボル、ある割合のシンボル、すべてのシンボル等）を示す前のグループ共通ＰＤＣＣＨが、前の監視機会において受信される場合に満たされ得る（その例は、図１０に示す。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【００９９】
条件Ｈ２は、ＵＥが、スロットに関連する監視機会においてグループ共通ＰＤＣＣＨを監視せず、かつ／あるいは、フレキシブル（シンボル）であるとして監視機会に関連づけられた１つ以上のシンボル（例えば、１つのシンボル、ある割合のシンボル、すべてのシンボル等）を示す前のグループ共通ＰＤＣＣＨが、前の監視機会において受信される場合に満たされ得る（その例は、図１０に示す。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１００】
条件Ｈ３は、ＵＥが、スロットに関連する監視機会においてグループ共通ＰＤＣＣＨを監視せず、かつ／あるいは、スロットに関連するスロットフォーマットを示す前のグループ共通ＰＤＣＣＨが、前の監視機会において受信され、上位レイヤ設定が、ＵＬ（シンボル）であるとして監視機会に関連する１つ以上のシンボルを示す場合に満たされ得る（その例は、図１０に示す。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１０１】
条件Ｈ４は、ＵＥが、スロットに関連する監視機会においてグループ共通ＰＤＣＣＨを監視せず、かつ／あるいは、スロットに関連するスロットフォーマットを示す前のグループ共通ＰＤＣＣＨが、前の監視機会において受信され、上位レイヤ設定が、フレキシブル（シンボル）であるとして監視機会に関連する１つ以上のシンボルを示す場合に満たされ得る（その例は、図１０に示す。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１０２】
以下に説明するアクションは、スロットにおいて設定された送信および／または設定された受信を処理かつ／あるいは実行するために実行され得る。
【０１０３】
アクション１は、ＲＲＣによってフレキシブル（シンボル）として設定された１つ以上のシンボル上で、設定された送信を実行することを含み得る。
【０１０４】
アクション２は、ＲＲＣによってフレキシブル（シンボル）として設定された１つ以上のシンボル上で、設定された受信を実行することを含み得る。
【０１０５】
アクション３は、ＲＲＣによってフレキシブル（シンボル）として設定された１つ以上のシンボル上で、設定された送信を実行しないことを含み得る。
【０１０６】
アクション４は、ＲＲＣによってフレキシブル（シンボル）として設定された１つ以上のシンボル上で、設定された受信を実行しないことを含み得る。
【０１０７】
アクション５は、ＲＲＣによってフレキシブル（シンボル）として設定された１つ以上のシンボル上で、設定された送信を実行しないこと、および／またはＲＲＣによってＵＬ（シンボル）として設定された１つ以上のシンボル上で、設定された送信を実行することを含み得る。
【０１０８】
アクション６は、ＲＲＣによってフレキシブル（シンボル）として設定された１つ以上のシンボル上で、設定された受信を実行しないこと、および／またはＲＲＣによってＤＬ（シンボル）として設定された１つ以上のシンボル上で、設定された受信を実行することを含み得る。
【０１０９】
アクション７は、前の監視機会において受信した前のグループ共通ＰＤＣＣＨに基づいて、設定された送信を実行するかどうかを決定することを含み得る。
【０１１０】
アクション８は、前の監視機会において受信した前のグループ共通ＰＤＣＣＨに基づいて、設定された受信を実行するかどうかを決定することを含み得る。
【０１１１】
一例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。
【０１１２】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。
【０１１３】
別の例では、条件Ｅ、条件Ｆ、条件Ｇ、条件Ｈ２および／または条件Ｈ４が満たされる場合、ＵＥはアクション３および／またはアクション４を実行し得る。代替的かつ／あるいは追加的に、条件Ｈ、条件Ｈ１、条件Ｈ２、条件Ｈ３および／または条件Ｈ４が満たされる場合、ＵＥはアクション７および／またはアクション８を実行し得る。例えば、条件Ｅ、条件Ｆ、条件Ｇ、条件Ｈ２および／または条件Ｈ４が満たされる場合、ＵＥは、アクション３および／またはアクション４に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション７および／またはアクション８に基づいて、設定された送信および／または設定された受信を処理かつ／あるいは実行し得る。
【０１１４】
別の例では、条件Ｅ、条件Ｆ、条件Ｇ、条件Ｈ２および／または条件Ｈ４が満たされる場合、ＵＥはアクション３および／またはアクション４を実行し得る。代替的かつ／あるいは追加的に、条件Ｈ、条件Ｈ１、条件Ｈ２、条件Ｈ３および／または条件Ｈ４が満たされる場合、ＵＥはアクション１および／またはアクション２を実行し得る。例えば、条件Ｅ、条件Ｆ、条件Ｇ、条件Ｈ２および／または条件Ｈ４が満たされる場合、ＵＥは、アクション３および／またはアクション４に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション１および／またはアクション２に基づいて、設定された送信および／または設定された受信を処理かつ／あるいは実行し得る。
【０１１５】
別の例では、条件Ｅ、条件Ｆ、条件Ｇ、条件Ｈ２および／または条件Ｈ４が満たされる場合、ＵＥはアクション５および／またはアクション６を実行し得る。代替的かつ／あるいは追加的に、条件Ｈ、条件Ｈ１、条件Ｈ２、条件Ｈ３および／または条件Ｈ４が満たされる場合、ＵＥはアクション７および／またはアクション８を実行し得る。例えば、条件Ｅ、条件Ｆ、条件Ｇ、条件Ｈ２および／または条件Ｈ４が満たされる場合、ＵＥは、アクション５および／またはアクション６に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション７および／またはアクション８に基づいて、設定された送信および／または設定された受信を処理かつ／あるいは実行し得る。
【０１１６】
別の例では、条件Ｅ、条件Ｆ、条件Ｇ、条件Ｈ２および／または条件Ｈ４が満たされる場合、ＵＥはアクション５および／またはアクション６を実行し得る。代替的かつ／あるいは追加的に、条件Ｈ、条件Ｈ１、条件Ｈ２、条件Ｈ３および／または条件Ｈ４が満たされる場合、ＵＥはアクション１および／またはアクション２を実行し得る。例えば、条件Ｅ、条件Ｆ、条件Ｇ、条件Ｈ２および／または条件Ｈ４が満たされる場合、ＵＥは、アクション５および／またはアクション６に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション１および／またはアクション２に基づいて、設定された送信および／または設定された受信を処理かつ／あるいは実行し得る。
【０１１７】
別の例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅ、条件Ｆ、条件Ｇ、条件Ｈ２および／または条件Ｈ４が満たされる場合、ＵＥはアクション３および／またはアクション４を実行し得る。代替的かつ／あるいは追加的に、条件Ｈ、条件Ｈ１、条件Ｈ２、条件Ｈ３および／または条件Ｈ４が満たされる場合、ＵＥはアクション７および／またはアクション８を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて設定された送信および／または設定された受信を処理かつ／あるいは実行し得る。代替的かつ／あるいは追加的に、条件Ｅ、条件Ｆ、条件Ｇ、条件Ｈ２および／または条件Ｈ４が満たされる場合、ＵＥは、アクション３および／またはアクション４に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション７および／またはアクション８に基づいて、設定された送信および／または設定された受信を処理かつ／あるいは実行し得る。
【０１１８】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅ、条件Ｆ、条件Ｇ、条件Ｈ２および／または条件Ｈ４が満たされる場合、ＵＥはアクション５および／またはアクション６を実行し得る。代替的かつ／あるいは追加的に、条件Ｈ、条件Ｈ１、条件Ｈ２、条件Ｈ３および／または条件Ｈ４が満たされる場合、ＵＥはアクション７および／またはアクション８を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅ、条件Ｆ、条件Ｇ、条件Ｈ２および／または条件Ｈ４が満たされる場合、ＵＥは、アクション５および／またはアクション６に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション７および／またはアクション８に基づいて、設定された送信および／または設定された受信を処理かつ／あるいは実行し得る。
【０１１９】
別の例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅ、条件Ｆ、条件Ｇ、条件Ｈ２および／または条件Ｈ４が満たされる場合、ＵＥはアクション３および／またはアクション４を実行し得る。代替的かつ／あるいは追加的に、条件Ｈ、条件Ｈ１、条件Ｈ２、条件Ｈ３および／または条件Ｈ４が満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて設定された送信および／または設定された受信を処理かつ／あるいは実行し得る。代替的かつ／あるいは追加的に、条件Ｅ、条件Ｆ、条件Ｇ、条件Ｈ２および／または条件Ｈ４が満たされる場合、ＵＥは、アクション３および／またはアクション４に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション１および／またはアクション２に基づいて設定された送信および／または設定された受信を処理かつ／あるいは実行し得る。
【０１２０】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅ、条件Ｆ、条件Ｇ、条件Ｈ２および／または条件Ｈ４が満たされる場合、ＵＥはアクション５および／またはアクション６を実行し得る。代替的かつ／あるいは追加的に、条件Ｈ、条件Ｈ１、条件Ｈ２、条件Ｈ３および／または条件Ｈ４が満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅ、条件Ｆ、条件Ｇ、条件Ｈ２および／または条件Ｈ４が満たされる場合、ＵＥは、アクション５および／またはアクション６に基づいて、設定された送信および／または設定された受信を処理かつ／あるいは実行し得る。代替的かつ／あるいは追加的に、条件Ｈ、条件Ｈ１、条件Ｈ２、条件Ｈ３および／または条件Ｈ４が満たされる場合、ＵＥは、アクション１および／またはアクション２に基づいて設定された送信および／または設定された受信を処理かつ／あるいは実行し得る。
【０１２１】
別の例では、条件Ａ、条件Ｂ、条件Ｃ、条件Ｄ、条件Ｄ１、条件Ｄ２、条件Ｄ３、条件Ｄ４、条件Ｅ、条件Ｆ、条件Ｇ、条件Ｈ、条件Ｈ１、条件Ｈ２、条件Ｈ３および／または条件Ｈ４が満たされる場合、ＵＥは、アクション１、アクション２、アクション３、アクション４、アクション５、アクション６、アクション７、および／またはアクション８を実行し得る。例えば、条件Ａ、条件Ｂ、条件Ｃ、条件Ｄ、条件Ｄ１、条件Ｄ２、条件Ｄ３、条件Ｄ４、条件Ｅ、条件Ｆ、条件Ｇ、条件Ｈ、条件Ｈ１、条件Ｈ２、条件Ｈ３および／または条件Ｈ４が満たされる場合、ＵＥは、アクション１、アクション２、アクション３、アクション４、アクション５、アクション６、アクション７および／またはアクション８に基づいて、設定された送信および／または設定された受信を処理かつ／あるいは実行することができる。
【０１２２】
第２の実施形態では、スロットのスロットフォーマットがＵＥのためにグループ共通ＰＤＣＣＨによって指示かつ／あるいは設定されない場合、ＵＥは、スロットにおいて設定された送信および／または設定された受信を処理かつ／あるいは実行する方法を決定し得る。例えば、スロットに関連するスロットフォーマットは、スロットに関連する監視機会においてグループ共通ＰＤＣＣＨによって指示かつ／あるいは設定されなくてもよい。
【０１２３】
スロットのスロットフォーマットがＵＥのためにグループ共通ＰＤＣＣＨによって指示かつ／あるいは設定されない様々な例が考えられ得ることが理解され得る。例えば、スロットのスロットフォーマットがＵＥのためにグループ共通ＰＤＣＣＨによって指示かつ／あるいは設定されない例は、以下に説明する条件の１つ以上と関連し得る。さらに、満たされる１つ以上の条件に応じて、スロットにおいて設定された送信および／または設定された受信を処理かつ／あるいは実行するために、以下に説明するアクションの１つ以上を実行してもよく、１つ以上のアクションは、１つ以上の条件に基づいて選択かつ／あるいは実行され得る。
【０１２４】
条件Ａは、ＵＥが、スロットに関連する監視機会においてグループ共通ＰＤＣＣＨを監視し、かつ／あるいは、ＵＥが、監視機会においてグループ共通ＰＤＣＣＨを監視している間にグループ共通ＰＤＣＣＨを検出かつ／あるいは受信しない場合に満たされ得る（例えば、その例は図９に示す。ここでは、ＤＣＩ１が基地局によって監視機会９１５を介してＵＥに送信されず、かつ／あるいは、ＤＣＩ２が基地局によってＵＥに送信され、かつ／あるいは、ＵＥが、ＤＣＩ２を受信しない。）。
【０１２５】
条件Ｂは、基地局が、スロットに関連する監視機会においてグループ共通ＰＤＣＣＨをＵＥに送信しない場合に満たされ得る（例えば、その例は図９に示す。ここでは、ＤＣＩ１が基地局によって監視機会９１５を介してＵＥに送信されない。）。
【０１２６】
条件Ｃは、基地局がグループ共通ＰＤＣＣＨをＵＥに送信し、かつ／あるいは、ＵＥが、スロットに関連する監視機会において（正しく）グループ共通ＰＤＣＣＨ受信かつ／あるいはデコードしない場合に満たされ得る（例えば、その例は図９に示す。ここでは、ＤＣＩ２が基地局によってＵＥに送信され、かつ／あるいは、ＵＥがＤＣＩ２を受信しない。）。
【０１２７】
条件Ｄは、ＵＥが、スロットに関連する監視機会においてグループ共通ＰＤＣＣＨを監視しない場合に満たされ得る（例えば、その例は図９に示す。ここでは、ＵＥは、監視機会９２５においてＤＣＩ３に関連する監視を実行しない。）。
【０１２８】
条件Ｄ１は、監視機会に関連するスロットの１つ以上のシンボル（例えば、１つのシンボル、ある割合のシンボル、すべてのシンボル等）が前の監視機会において前のグループ共通ＰＤＣＣＨによってＵＬ（シンボル）として設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【０１２９】
条件Ｄ２は、監視機会に関連するスロットの１つ以上のシンボル（例えば、１つのシンボル、ある割合のシンボル、すべてのシンボル等）が前の監視機会において前のグループ共通ＰＤＣＣＨによってフレキシブル（シンボル）として設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【０１３０】
条件Ｄ３は、監視機会に関連するスロットの１つ以上のシンボル（例えば、１つのシンボル、ある割合のシンボル、すべてのシンボル等）が、上位レイヤ設定によってＵＬ（シンボル）として設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【０１３１】
条件Ｄ４は、監視機会に関連するスロットの１つ以上のシンボル（例えば、１つのシンボル、ある割合のシンボル、すべてのシンボル等）が、上位レイヤ設定によってフレキシブル（シンボル）として設定され、かつ／あるいは、指示されるため、ＵＥがスロットに関連する監視機会においてグループ共通ＰＤＣＣＨを監視しない場合に満たされ得る（例えば、その例は図９に示す。ＵＥは、監視機会９２５においてＤＣＩ３に関連する監視を実行しない。）。
【０１３２】
条件Ｅは、ＵＥが、グループ共通ＰＤＣＣＨを受信し、かつ／あるいは、グループ共通ＰＤＣＣＨが、スロットに関連するスロットフォーマットを示さない場合に満たされ得る（例えば、その例は図９に示される。ここでは、ＤＣＩ４が監視機会９３０を介して受信され、ＤＣＩ４は、監視機会９５５よりも短い期間９０５に対してスロットフォーマット組み合わせを示し、かつ／あるいは、１つ以上のスロット９１０の１つ以上のスロットフォーマットを示さない。）。
【０１３３】
条件Ｆは、ＵＥが、スロットに関連する監視機会においてグループ共通ＰＤＣＣＨを監視し、ＵＥが監視機会においてグループ共通ＰＤＣＣＨを監視している間にグループ共通ＰＤＣＣＨを検出かつ／あるいは受信せず、かつ／あるいは、スロットに関連するスロットフォーマットを示す前のグループ共通ＰＤＣＣＨが、前の監視機会において受信される場合に満たされ得る（例えば、その例は図１０に示される。ここでは、ＤＣＩ２が、基地局によって送信されず、かつ／あるいは、監視機会を介してＵＥによって受信されず、かつ／あるいは、ＤＣＩ１が、前の監視機会を介して受信され、かつ／あるいは、監視機会および／または期間１００５に関連する１つ以上のスロットフォーマットを示す。その別の例は、図１０に示される。ここでは、ＤＣＩ４が、基地局によって送信され、かつ／あるいは、監視機会を介してＵＥによって受信されず、かつ／あるいは、ＤＣＩ３が、前の監視機会を介して受信され、かつ／あるいは、監視機会および／または期間１０２０に関連する１つ以上のスロットフォーマットを示す。）。
【０１３４】
条件Ｇは、基地局が、スロットに関連する監視機会においてグループ共通ＰＤＣＣＨをＵＥに送信せず、かつ／あるいは、スロットに関連するスロットフォーマットを示す前のグループ共通ＰＤＣＣＨが前の監視機会において受信される場合に満たされ得る（例えば、その例は図１０に示される。ここでは、ＤＣＩ２が、基地局によって送信されず、かつ／あるいは、監視機会を介してＵＥによって受信されず、かつ／あるいは、ＤＣＩ１が、前の監視機会を介して受信され、かつ／あるいは、監視機会および／または期間１００５に関連する１つ以上のスロットフォーマットを示す。）。
【０１３５】
条件Ｈは、基地局が、グループ共通ＰＤＣＣＨをＵＥに送信し、ＵＥが、スロットに関連する監視機会においてグループ共通ＰＤＣＣＨを正しく（首尾よく）受信かつ／あるいはデコードせず、かつ／あるいは、スロットに関連するスロットフォーマットを示す前のグループ共通ＰＤＣＣＨが前の監視機会において受信される場合に満たされ得る（その例は、図１０に示される。ここでは、ＤＣＩ４が、基地局によって送信され、かつ／あるいは、監視機会を介してＵＥによって受信されず、かつ／あるいは、ＤＣＩ３が、前の監視機会を介して受信され、かつ／あるいは、監視機会および／または期間１０２０に関連する１つ以上のスロットフォーマットを示す。）。
【０１３６】
条件Ｉは、ＵＥが、スロットに関連する監視機会においてグループ共通ＰＤＣＣＨを監視せず、かつ／あるいは、スロットに関連するスロットフォーマットを示す前のグループ共通ＰＤＣＣＨが、前の監視機会において受信される場合に満たされ得る（その例は、図１０に示される。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１３７】
条件Ｉ１は、ＵＥが、スロットに関連する監視機会においてグループ共通ＰＤＣＣＨを監視せず、かつ／あるいは、ＵＬ（シンボル）であるとして監視機会に関連する１つ以上のシンボル（例えば、１つのシンボル、ある割合のシンボル、すべてのシンボル等）を示す前のグループ共通ＰＤＣＣＨが、前の監視機会において受信される場合に満たされ得る（その例は、図１０に示される。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１３８】
条件Ｉ２は、ＵＥが、スロットに関連する監視機会においてグループ共通ＰＤＣＣＨを監視せず、かつ／あるいは、フレキシブル（シンボル）であるとして監視機会に関連づけられた１つ以上のシンボル（例えば、１つのシンボル、ある割合のシンボル、すべてのシンボル等）を示す前のグループ共通ＰＤＣＣＨが、前の監視機会において受信される場合に満たされ得る（その例は、図１０に示される。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１３９】
条件Ｉ３は、ＵＥが、スロットに関連する監視機会においてグループ共通ＰＤＣＣＨを監視せず、かつ／あるいは、スロットに関連するスロットフォーマットを示す前のグループ共通ＰＤＣＣＨが、前の監視機会において受信され、上位レイヤ設定が、ＵＬ（シンボル）であるとして監視機会に関連する１つ以上のシンボルを示す場合に満たされ得る（その例は、図１０に示される。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１４０】
条件Ｉ４は、ＵＥが、スロットに関連する監視機会においてグループ共通ＰＤＣＣＨを監視せず、かつ／あるいは、スロットに関連するスロットフォーマットを示す前のグループ共通ＰＤＣＣＨが、前の監視機会において受信され、上位レイヤ設定が、フレキシブル（シンボル）であるとして監視機会に関連する１つ以上のシンボルを示す場合に満たされ得る（その例は、図１０に示される。ここでは、ＤＣＩ６が基地局によって送信され（かつ／あるいは送信されず）、ＵＥは監視機会を介してＤＣＩ６を監視せず、かつ／あるいは、ＤＣＩ５が、前の監視機会において受信され、かつ／あるいは、監視機会および／または期間１０３５に関連する１つ以上のスロットフォーマットを示す。）。
【０１４１】
条件Ｊは、ＵＥが、グループ共通ＰＤＣＣＨを受信し、かつ／あるいは、グループ共通ＰＤＣＣＨが、スロットに関連するスロットフォーマットを示さず、かつ／あるいは、スロットに関連するスロットフォーマットを示す前のグループ共通ＰＤＣＣＨが、前の監視機会において受信される場合に満たされ得る（例えば、その例は、図１０に示される。ここでは、ＤＣＩ８が監視機会を介して受信され、ＤＣＩ８は、監視期間１０６０よりも短い期間１０６５に関連する１つ以上のスロットフォーマットを指示し、ＤＣＩ７は、前の監視機会を介して受信され、かつ／あるいは、監視機会および／または期間１０５０に関連する１つ以上のスロットフォーマットを示す。）。
【０１４２】
以下に説明するアクションは、スロットにおいて設定された送信および／または設定された受信を処理かつ／あるいは実行するために実行され得る。
【０１４３】
アクション１は、ＲＲＣによってフレキシブル（シンボル）として設定された１つ以上のシンボル上で、設定された送信を実行することを含み得る。
【０１４４】
アクション２は、ＲＲＣによってフレキシブル（シンボル）として設定された１つ以上のシンボル上で、設定された受信を実行することを含み得る。
【０１４５】
アクション３は、ＲＲＣによってフレキシブル（シンボル）として設定された１つ以上のシンボル上で、設定された送信を実行しないことを含み得る。
【０１４６】
アクション４は、ＲＲＣによってフレキシブル（シンボル）として設定された１つ以上のシンボル上で、設定された受信を実行しないことを含み得る。
【０１４７】
アクション５は、ＲＲＣによってフレキシブル（シンボル）として設定された１つ以上のシンボル上で、設定された送信を実行しないこと、および／またはＲＲＣによってＵＬ（シンボル）として設定された１つ以上のシンボル上で、設定された送信を実行することを含み得る。
【０１４８】
アクション６は、ＲＲＣによってフレキシブル（シンボル）として設定された１つ以上のシンボル上で、設定された受信を実行しないこと、および／またはＲＲＣによってＤＬ（シンボル）として設定された１つ以上のシンボル上で、設定された受信を実行することを含み得る。
【０１４９】
アクション７は、前の監視機会において受信した前のグループ共通ＰＤＣＣＨに基づいて、設定された送信を実行するかどうかを決定することを含み得る。
【０１５０】
アクション８は、前の監視機会において受信した前のグループ共通ＰＤＣＣＨに基づいて、設定された受信を実行するかどうかを決定することを含み得る。
【０１５１】
例えば、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。
【０１５２】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。
【０１５３】
別の例では、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション７および／またはアクション８を実行し得る。例えば、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行し得る。
【０１５４】
別の例では、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション１および／またはアクション２を実行し得る。例えば、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１５５】
別の例では、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション１および／またはアクション２を実行し得る。例えば、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１５６】
別の例では、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション７および／またはアクション８を実行し得る。例えば、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行することができる。
【０１５７】
別の例では、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２および／または条件Ｉ３が満たされる場合、ＵＥはアクション７および／またはアクション８を実行し得る。代替的かつ／あるいは追加的に、条件Ｊが満たされる場合、ＵＥはアクション７および／またはアクション８を実行し得る。例えば、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２および／または条件Ｉ３が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行することができる。
【０１５８】
別の例では、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション１および／またはアクション２を実行し得る。例えば、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１５９】
別の例では、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション１および／またはアクション２を実行し得る。例えば、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１６０】
別の例では、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション７および／またはアクション８を実行し得る。例えば、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて、設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行し得る。
【０１６１】
別の例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション７および／またはアクション８を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行し得る。
【０１６２】
別の例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１６３】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション７および／またはアクション８を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行し得る。
【０１６４】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション７および／またはアクション８を実行し得る。代替的かつ／あるいは追加的に、条件Ｊが満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション７および／またはアクション８に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１６５】
別の例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２を実行し得る。代替的かつ／あるいは追加的に、条件Ｅが満たされる場合、ＵＥは、アクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥは、アクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２を実行し得る。代替的かつ／あるいは追加的に、条件Ｊが満たされる場合、ＵＥは、アクション１および／またはアクション２を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１６６】
別の例では、条件Ａ、条件Ｂ、条件Ｃ、条件Ｄ２および／または条件Ｄ４が満たされる場合、ＵＥはアクション３および／またはアクション４を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション３および／またはアクション４を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション７および／またはアクション８を実行し得る。例えば、条件Ａ、条件Ｂ、条件Ｃ、条件Ｄ２および／または条件Ｄ４が満たされる場合、ＵＥは、アクション３および／またはアクション４に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション３および／またはアクション４に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて、設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行し得る。
【０１６７】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション５および／またはアクション６に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて、設定された送信および／または設定された受信を処理かつ／あるいは実行し得る。代替的かつ／あるいは追加的に、条件Ｅが満たされる場合、ＵＥは、アクション１および／またはアクション２に基づいて、設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて、設定された送信および／または設定された受信を処理かつ／あるいは実行し得る。代替的かつ／あるいは追加的に、条件Ｊが満たされる場合、ＵＥは、アクション１および／またはアクション２に基づいて、設定された送信および／または設定された受信を処理かつ／あるいは実行し得る。
【０１６８】
別の例では、条件Ａ、条件Ｂ、条件Ｃ、条件Ｄ２および／または条件Ｄ４が満たされる場合、ＵＥはアクション５および／またはアクション６を実行し得る。代替的かつ／あるいは追加的に、条件Ｄ、条件Ｄ１、条件Ｄ２、条件Ｄ３および／または条件Ｄ４が満たされる場合、ＵＥはアクション１および／またはアクション２を実行し得る。代替的かつ／あるいは追加的に、条件Ｅが満たされる場合、ＵＥはアクション１および／またはアクション２を実行し得る。代替的かつ／あるいは追加的に、条件Ｆ、条件Ｇ、条件Ｈ、条件Ｉ２および／または条件Ｉ４が満たされる場合、ＵＥはアクション５および／またはアクション６を実行し得る。代替的かつ／あるいは追加的に、条件Ｉ、条件Ｉ１、条件Ｉ２、条件Ｉ３および／または条件Ｉ４が満たされる場合、ＵＥはアクション１および／またはアクション２を実行し得る。代替的かつ／あるいは追加的に、条件Ｊが満たされる場合、ＵＥはアクション１および／またはアクション２を実行し得る。例えば、条件Ａ、条件Ｂ、条件Ｃ、条件Ｄ２および／または条件Ｄ４が満たされる場合、ＵＥは、アクション７および／またはアクション８に基づいて、設定された送信および／または設定された受信を処理かつ／あるいは実行し得る。代替的かつ／あるいは追加的に、条件Ｄ、条件Ｄ１、条件Ｄ２、条件Ｄ３および／または条件Ｄ４が満たされる場合、ＵＥは、アクション１および／またはアクション２に基づいて設定された送信および／または設定された受信を処理かつ／あるいは実行し得る。代替的かつ／あるいは追加的に、条件Ｅが満たされる場合、ＵＥは、アクション１および／またはアクション２に基づいて設定された送信および／または設定された受信を処理かつ／あるいは実行し得る。代替的かつ／あるいは追加的に、条件Ｆ、条件Ｇ、条件Ｈ、条件Ｉ２および／または条件Ｉ４が満たされる場合、ＵＥは、アクション５および／またはアクション６に基づいて、設定された送信および／または設定された受信を処理かつ／あるいは実行し得る。代替的かつ／あるいは追加的に、条件Ｉ、条件Ｉ１、条件Ｉ２、条件Ｉ３および／または条件Ｉ４が満たされる場合、ＵＥは、アクション１および／またはアクション２に基づいて設定された送信および／または設定された受信を処理かつ／あるいは実行し得る。代替的かつ／あるいは追加的に、条件Ｊが満たされる場合、ＵＥは、アクション７および／またはアクション８に基づいて、設定された送信および／または設定された受信を処理かつ／あるいは実行し得る。
【０１６９】
別の例では、条件Ａ、条件Ｂ、条件Ｃ、条件Ｄ、条件Ｄ１、条件Ｄ２、条件Ｄ３、条件Ｄ４、条件Ｅ、条件Ｆ、条件Ｇ、条件Ｈ、条件Ｉ、条件Ｉ１、条件Ｉ２、条件Ｉ３、条件Ｉ４および／または条件Ｊが満たされる場合、ＵＥは、アクション１、アクション２、アクション３、アクション４、アクション５、アクション６、アクション７および／またはアクション８を実行し得る。例えば、条件Ａ、条件Ｂ、条件Ｃ、条件Ｄ、条件Ｄ１、条件Ｄ２、条件Ｄ３、条件Ｄ４、条件Ｅ、条件Ｆ、条件Ｇ、条件Ｈ、条件Ｉ、条件Ｉ１、条件Ｉ２、条件Ｉ３、条件Ｉ４および／または条件Ｊが満たされる場合、ＵＥは、アクション１、アクション２、アクション３、アクション４、アクション５、アクション６、アクション７および／またはアクション８に基づいて、設定された送信および／または設定された受信を処理かつ／あるいは実行し得る。
【０１７０】
第３の実施形態では、ＵＥが、監視機会においてグループ共通ＰＤＣＣＨの監視をスキップする場合、監視機会に関連する監視期間内に、１つ以上の半静的に設定されたフレキシブルシンボル上で、設定された受信および／または設定された送信を実行し得る。例えば、ＵＥは、監視機会のための（設定された）スロットフォーマットのために、監視機会においてグループ共通ＰＤＣＣＨの監視をスキップし得る。代替的かつ／あるいは追加的に、ＵＥは、グループ共通ＰＤＣＣＨが受信されない間に、ＵＥが監視機会においてグループ共通ＰＤＣＣＨを監視する場合、監視機会に関連する監視期間内に、１つ以上の半静的に設定されたフレキシブルシンボル上で、設定された受信および／または設定された送信を実行しなくてもよい。
【０１７１】
いくつかの例では、ＵＥは、前の監視機会において、スロットのためのスロットフォーマットを示す（前の）グループ共通ＰＤＣＣＨを受信し得る。代替的かつ／あるいは追加的に、ＵＥは、監視機会における１つ以上のシンボル（例えば、１つのシンボル、ある割合のシンボル、すべてのシンボル等）がＵＬ（シンボル）であるとして指示かつ／あるいは設定されるため、監視機会におけるグループ共通ＰＤＣＣＨの監視をスキップし得る。代替的かつ／あるいは追加的に、ＵＥは、監視機会における１つ以上のシンボル（例えば、１つのシンボル、ある割合のシンボル、すべてのシンボル等）がフレキシブル（シンボル）であるとして指示かつ／あるいは設定されるため、監視機会におけるグループ共通ＰＤＣＣＨの監視をスキップし得る。
【０１７２】
いくつかの例では、監視機会における１つ以上のシンボル（例えば、１つのシンボル、ある割合のシンボル、すべてのシンボル等）がＵＬ（シンボル）であるとして指示され、かつ／あるいは、設定され得る。代替的かつ／あるいは追加的に、監視機会における１つ以上のシンボル（例えば、１つのシンボル、ある割合のシンボル、すべてのシンボル等）がフレキシブル（シンボル）であるとして指示され、かつ／あるいは、設定され得る。
【０１７３】
いくつかの例では、ＵＥが監視機会におけるグループ共通ＰＤＣＣＨの監視をスキップする場合、および／または監視機会における１つ以上のシンボル（例えば、１つのシンボル、ある割合のシンボル、すべてのシンボル等）がフレキシブル（シンボル）であるとして指示かつ／あるいは設定される場合、ＵＥは、監視機会に関連する監視期間内に、１つ以上の半静的に設定されたフレキシブルシンボル上で、設定された受信および／または設定された送信を実行しなくてもよい。代替的かつ／あるいは追加的に、前の監視機会における（前の）グループ共通ＰＤＣＣＨは、監視機会における１つ以上のシンボル（例えば、１つのシンボル、ある割合のシンボル、すべてのシンボル等）がフレキシブル（シンボル）であるとして指示し得る。代替的かつ／あるいは追加的に、前の監視機会における（前の）グループ共通ＰＤＣＣＨは、監視機会における１つ以上のシンボル（例えば、１つのシンボル、ある割合のシンボル、すべてのシンボル等）がＵＬ（シンボル）であるとして指示し得る。代替的かつ／あるいは追加的に、上位レイヤ設定は、監視機会における１つ以上のシンボル（例えば、１つのシンボル、ある割合のシンボル、すべてのシンボル等）がフレキシブル（シンボル）であるとして指示し得る。代替的かつ／あるいは追加的に、上位レイヤ設定は、監視機会における１つ以上のシンボル（例えば、１つのシンボル、ある割合のシンボル、すべてのシンボル等）がＵＬ（シンボル）であるとして指示し得る。
【０１７４】
いくつかの例では、ＵＥが監視機会においてグループ共通ＰＤＣＣＨを受信しない場合、ＵＥは、ＵＥが監視機会においてグループ共通ＰＤＣＣＨを監視するかどうかに基づいて、半静的に設定されたフレキシブルシンボル上で、設定された送信および／または設定された受信を実行するかどうかを決定し得る。いくつかの例では、半静的に設定されたフレキシブルシンボルは、監視機会に関連する１つ以上のスロット内に存在し得る。代替的かつ／あるいは追加的に、監視機会に関連する１つ以上のスロットは、その監視機会の後の監視期間内に存在し得る。代替的かつ／あるいは追加的に、監視期間は、グループ共通ＰＤＣＣＨの監視期間であり得る。代替的かつ／あるいは追加的に、ＵＥが監視機会においてグループ共通ＰＤＣＣＨを監視しない場合、ＵＥは、半静的に設定されたフレキシブルシンボル上で、設定された送信および／または設定された受信を実行することを決定し得る。代替的かつ／あるいは追加的に、ＵＥが監視機会においてグループ共通ＰＤＣＣＨを監視する場合、ＵＥは、半静的に設定されたフレキシブルシンボル上で、設定された送信および／または設定された受信を実行しないと決定し得る。
【０１７５】
第４の実施形態では、ＵＥは、スロットのためのスロットフォーマットを示す第１の監視機会にグループ共通ＰＤＣＣＨを受信しなくてもよく、かつ／あるいは、ＵＥは、スロット内の１つ以上の半静的に設定されたフレキシブルシンボル上で、設定された送信および／または設定された受信を実行するかどうかを決定し得る。いくつかの例では、ＵＥが第１の監視機会においてグループ共通ＰＤＣＣＨを受信する場合、および／またはグループ共通ＰＤＣＣＨがスロットのスロットフォーマットを示さない場合、ＵＥは、スロット内の１つ以上の半静的に設定されたフレキシブルシンボル上で、設定された送信および／または設定された受信を実行し得る。
【０１７６】
代替的かつ／あるいは追加的に、ＵＥが第１の監視機会においてグループ共通ＰＤＣＣＨを受信しない場合、ＵＥは、スロット内の１つ以上の半静的に設定されたフレキシブルシンボル上で、設定された送信および／または設定された受信を実行しなくてもよい。
【０１７７】
いくつかの例では、ＵＥが第１の監視機会においてグループ共通ＰＤＣＣＨを監視しない場合、ＵＥは、スロット内の１つ以上の半静的に設定されたフレキシブルシンボル上で、設定された送信および／または設定された受信を実行し得る。代替的かつ／あるいは追加的に、第１の監視機会における１つ以上のシンボル（例えば、１つのシンボル、ある割合のシンボル、すべてのシンボル等）がＵＬ（シンボル）であるとして指示され、かつ／あるいは、設定され得る。代替的かつ／あるいは追加的に、第１の監視機会における１つ以上のシンボル（例えば、１つのシンボル、ある割合のシンボル、すべてのシンボル等）がフレキシブル（シンボル）であるとして指示され、かつ／あるいは、設定され得る。
【０１７８】
代替的かつ／あるいは追加的に、第２の監視機会におけるグループ共通ＰＤＣＣＨは、監視機会における１つ以上のシンボル（例えば、１つのシンボル、ある割合のシンボル、すべてのシンボル等）がフレキシブル（シンボル）であるとして指示し得る。代替的かつ／あるいは追加的に、第２の監視機会におけるグループ共通ＰＤＣＣＨは、監視機会における１つ以上のシンボル（例えば、１つのシンボル、ある割合のシンボル、すべてのシンボル等）がＵＬ（シンボル）であるとして指示し得る。代替的かつ／あるいは追加的に、第２の監視機会は、第１の監視機会に先行し得る（かつ／あるいは、それより前であり得る）。
【０１７９】
代替的かつ／あるいは追加的に、上位レイヤ設定は、監視機会における１つ以上のシンボル（例えば、１つのシンボル、ある割合のシンボル、すべてのシンボル等）がフレキシブル（シンボル）であるとして指示し得る。代替的かつ／あるいは追加的に、上位レイヤ設定は、監視機会における１つ以上のシンボル（例えば、１つのシンボル、ある割合のシンボル、すべてのシンボル等）がＵＬ（シンボル）であるとして指示し得る。
【０１８０】
第５の実施形態では、ＵＥは、第１の監視機会において、スロットのためのスロットフォーマットを指示する第１のグループ共通ＰＤＣＣＨを受信し得、かつ／あるいは、ＵＥは、第２の監視機会において、グループ共通ＰＤＣＣＨを受信しなくてもよい。ＵＥは、ＵＥが第２の監視機会においてグループ共通ＰＤＣＣＨを監視するかどうかに基づいて、スロット内の１つ以上の半静的に設定されたフレキシブルシンボル上で、設定された送信および／または設定された受信を実行するかどうかを決定し得る。
【０１８１】
いくつかの例では、ＵＥが第２の監視機会においてグループ共通ＰＤＣＣＨを監視する場合、ＵＥは、スロット内の１つ以上の半静的に設定されたフレキシブルシンボル上で、設定された送信および／または設定された受信を実行しなくてもよい。代替的かつ／あるいは追加的に、ＵＥが第２の監視機会においてグループ共通ＰＤＣＣＨを監視しない場合、ＵＥは、スロット内の１つ以上の半静的に設定されたフレキシブルシンボル上で、設定された送信および／または設定された受信を実行し得る。
【０１８２】
いくつかの例では、ＵＥが第２の監視機会においてグループ共通ＰＤＣＣＨを監視しない場合、ＵＥは、第１の監視機会において第１のグループ共通ＰＤＣＣＨによって指示されるスロットフォーマットに基づいて、スロット内の１つ以上の半静的に設定されたフレキシブルシンボル上で、設定された送信および／または設定された受信を実行するかどうかを決定し得る。代替的かつ／あるいは追加的に、１つ以上の半静的に設定されたフレキシブルシンボルが、第１の監視機会において第１のグループ共通ＰＤＣＣＨによってＵＬ（シンボル）であるとして指示かつ／あるいは設定される場合、ＵＥは、スロット内の１つ以上の半静的に設定されたフレキシブルシンボル上で、設定された送信を実行し得る。代替的かつ／あるいは追加的に、１つ以上の半静的に設定されたフレキシブルシンボルが、第１の監視機会において第１のグループ共通ＰＤＣＣＨによってＤＬ（シンボル）であるとして指示かつ／あるいは設定される場合、ＵＥは、スロット内の１つ以上の半静的に設定されたフレキシブルシンボル上で、設定された受信を実行し得る。
【０１８３】
代替的かつ／あるいは追加的に、１つ以上の半静的に設定されたフレキシブルシンボルが、第１の監視機会において第１のグループ共通ＰＤＣＣＨによってＵＬ（シンボル）であるとして指示かつ／あるいは設定される場合、ＵＥは、スロット内の１つ以上の半静的に設定されたフレキシブルシンボル上で、設定された受信を実行しなくてもよい。
【０１８４】
代替的かつ／あるいは追加的に、１つ以上の半静的に設定されたフレキシブルシンボルが、第１の監視機会において第１のグループ共通ＰＤＣＣＨによってフレキシブル（シンボル）であるとして指示かつ／あるいは設定される場合、ＵＥは、スロット内の１つ以上の半静的に設定されたフレキシブルシンボル上で、設定された受信を実行しなくてもよい。
【０１８５】
代替的かつ／あるいは追加的に、１つ以上の半静的に設定されたフレキシブルシンボルが、第１の監視機会において第１のグループ共通ＰＤＣＣＨによってＤＬ（シンボル）であるとして指示かつ／あるいは設定される場合、ＵＥは、スロット内の１つ以上の半静的に設定されたフレキシブルシンボル上で、設定された受信を実行しなくてもよい。
【０１８６】
代替的かつ／あるいは追加的に、１つ以上の半静的に設定されたフレキシブルシンボルが、第１の監視機会において第１のグループ共通ＰＤＣＣＨによってＵＬ（シンボル）であるとして指示かつ／あるいは設定される場合、ＵＥは、スロット内の１つ以上の半静的に設定されたフレキシブルシンボル上で、設定された送信を実行しなくてもよい。
【０１８７】
代替的かつ／あるいは追加的に、１つ以上の半静的に設定されたフレキシブルシンボルが、第１の監視機会において第１のグループ共通ＰＤＣＣＨによってフレキシブル（シンボル）であるとして指示かつ／あるいは設定される場合、ＵＥは、スロット内の１つ以上の半静的に設定されたフレキシブルシンボル上で、設定された送信を実行しなくてもよい。
【０１８８】
代替的かつ／あるいは追加的に、１つ以上の半静的に設定されたフレキシブルシンボルが、第１の監視機会において第１のグループ共通ＰＤＣＣＨによってＤＬ（シンボル）であると指示かつ／あるいは設定される場合、ＵＥは、スロット内の１つ以上の半静的に設定されたフレキシブルシンボル上で、設定された送信を実行しなくてもよい。
【０１８９】
いくつかの例では、第１の実施形態、第２の実施形態、第３の実施形態、第４の実施形態、および第５の実施形態のそれぞれは、独立して、かつ／あるいは、別々に実施され得る。代替的かつ／あるいは追加的に、第１の実施形態、第２の実施形態、第３の実施形態、第４の実施形態および／または第５の実施形態のうちの１つ以上の組み合わせが実施され得る。
【０１９０】
（本明細書で使用する）ＵＥを送信機に置き換えてもよいことが理解され得る。例えば、ＵＥに適用するものとして説明した本明細書で提示する１つ以上の技術は、送信機に（も）適用してよい。
【０１９１】
代替的かつ／あるいは追加的に、（本明細書で使用する）ＵＥを受信機に置き換えてもよい。例えば、ＵＥに適用するものとして説明した本明細書に提示する１つ以上の技術は、受信機に（も）適用してよい。
【０１９２】
代替的かつ／あるいは追加的に、（本明細書で使用する）ＵＥを基地局に置き換えてもよい。例えば、ＵＥに適用するものとして説明した本明細書に提示する１つ以上の技術は、基地局に（も）適用してよい。
【０１９３】
代替的かつ／あるいは追加的に、（本明細書で使用する）ＵＥをスケジューリングされるデバイスに置き換えてもよい。例えば、ＵＥに適用するものとして説明した本明細書に提示する１つ以上の技術は、スケジューリングされるデバイスに（も）適用してよい。
【０１９４】
代替的かつ／あるいは追加的に、（本明細書で使用する）基地局を送信機に置き換えてもよい。例えば、基地局に適用するものとして説明した本明細書に提示する１つ以上の技術は、送信機に（も）適用してよい。
【０１９５】
代替的かつ／あるいは追加的に、（本明細書で使用する）基地局を受信機に置き換えてもよい。例えば、基地局に適用するものとして説明した本明細書に提示する１つ以上の技術は、受信機に（も）適用してよい。
【０１９６】
代替的かつ／あるいは追加的に、（本明細書で使用する）基地局をＵＥに置き換えてもよい。例えば、基地局に適用するものとして説明した本明細書に提示する１つ以上の技術は、ＵＥに（も）適用してよい。
【０１９７】
代替的かつ／あるいは追加的に、（本明細書で使用する）基地局をスケジューラに置き換えてもよい。例えば、基地局に適用するものとして説明した本明細書に提示する１つ以上の技術は、スケジューラに（も）適用してよい。
【０１９８】
本明細書で提示する技術は、種々のタイプのリンク（通信、スケジューリング等に関連する）に適用でき、基地局とＵＥの間のリンクに限定されないことが理解され得る。例えば、本明細書に提示される１つ以上の技術は、バックホールリンクおよび／またはフロントホールリンク（例えば、複数の基地局および／または複数のネットワークポイント間）、サイドリンクおよび／またはＵＵリンク（例えば、複数のＵＥ間）等に適用してよい。
【０１９９】
代替的かつ／あるいは追加的に、（本明細書で使用する）（物理）データチャネルは、（物理）下りリンク・データチャネル、（物理）上りリンク・データチャネル、および／または（物理）下りリンク・データチャネルと（物理）上りリンク・データチャネルの両方を指してよい。
【０２００】
図１１は、ＵＥの観点からの例示的な一実施形態によるフローチャート１１００である。ステップ１１０５において、ＵＥが監視機会におけるグループ共通ＰＤＣＣＨの監視をスキップするのに応答して、監視機会に関連する監視期間（例えば、監視周期）内の１つ以上の半静的に設定されたフレキシブルシンボル上で、設定された受信および／または設定された送信を実行する。
【０２０１】
図１１に例示し、上述した実施形態との関連では、ＵＥは、監視機会に対する（設定された）スロットフォーマットに基づいて（かつ／あるいは、そのために）監視機会におけるグループ共通ＰＤＣＣＨの監視を、スキップし得る。
【０２０２】
代替的かつ／あるいは追加的に、ＵＥが監視機会においてグループ共通ＰＤＣＣＨを監視する（かつ／あるいは、グループ共通ＰＤＣＣＨが監視機会において受信されない）場合、ＵＥは、監視機会に関連する監視期間内で１つ以上の半静的に設定されたフレキシブルシンボル上で、設定された受信および／または設定された送信を実行しなくてもよい。
【０２０３】
代替的かつ／あるいは追加的に、監視機会に関連するスロットのためのスロットフォーマットを指示する第１のグループ共通ＰＤＣＣＨが、第２の監視機会において受信され得る。
【０２０４】
代替的かつ／あるいは追加的に、ＵＥは、監視機会における１つ以上のシンボル（例えば、１つのシンボル、ある割合のシンボル、すべてのシンボル等）がＵＬ（シンボル）であるとして指示かつ／あるいは設定されるため、監視機会においてグループ共通ＰＤＣＣＨの監視をスキップし得る。代替的かつ／あるいは追加的に、ＵＥは、監視機会における１つ以上のシンボル（例えば、１つのシンボル、ある割合のシンボル、すべてのシンボル等）がフレキシブル（シンボル）であるとして指示かつ／あるいは設定されるため、監視機会においてグループ共通ＰＤＣＣＨの監視をスキップし得る。
【０２０５】
いくつかの例では、監視機会における１つ以上のシンボル（例えば、１つのシンボル、ある割合のシンボル、すべてのシンボル等）がＵＬ（シンボル）であるとして指示かつ／あるいは設定され得る。代替的かつ／あるいは追加的に、監視機会における１つ以上のシンボル（例えば、１つのシンボル、ある割合のシンボル、すべてのシンボル等）がフレキシブル（シンボル）であるとして指示かつ／あるいは設定され得る。
【０２０６】
代替的かつ／あるいは追加的に、ＵＥが監視機会におけるグループ共通ＰＤＣＣＨの監視をスキップする場合、および／または監視機会における１つ以上のシンボル（例えば、１つのシンボル、ある割合のシンボル、すべてのシンボル等）がフレキシブル（シンボル）であるとして指示かつ／あるいは設定される場合、ＵＥは、監視機会に関連する監視期間内の１つ以上の半静的に設定されたフレキシブルシンボル上で、設定された受信および／または設定された送信を実行しなくてもよい。代替的かつ／あるいは追加的に、第２の監視機会における第１のグループ共通ＰＤＣＣＨは、監視機会における１つ以上のシンボル（例えば、１つのシンボル、ある割合のシンボル、すべてのシンボル等）がフレキシブル（シンボル）であるとして指示し得る。代替的かつ／あるいは追加的に、第２の監視機会における第１のグループ共通ＰＤＣＣＨは、監視機会における１つ以上のシンボル（例えば、１つのシンボル、ある割合のシンボル、すべてのシンボル等）がＵＬ（シンボル）であるとして指示し得る。代替的かつ／あるいは追加的に、上位レイヤ設定は、監視機会における１つ以上のシンボル（例えば、１つのシンボル、ある割合のシンボル、すべてのシンボル等）がフレキシブル（シンボル）として指示し得る。代替的かつ／あるいは追加的に、上位レイヤ設定は、監視機会における１つ以上のシンボル（例えば、１つのシンボル、ある割合のシンボル、すべてのシンボル等）がＵＬ（シンボル）として指示し得る。
【０２０７】
図１２は、ＵＥの観点からの例示的な一実施形態によるフローチャート１２００である。ステップ１２０５では、スロットフォーマットを指示するＤＣＩを監視するための設定が受信されてよく、ここで、この設定は、ＵＥが、スロットに関連する第１の監視機会において第１のＤＣＩを監視し、第２の監視機会において第２のＤＣＩを監視することを指示し（例えば、命令し）、第１のＤＣＩは、スロットフォーマットを指示する。ステップ１２１０では、第１のＤＣＩが第１の監視機会において受信されず、第２のＤＣＩが第２の監視機会において受信され、第２のＤＣＩがスロットのためのスロットフォーマットを指示する（例えば、場合、かつ／あるいは、インスタンスに応答して）とき、設定された送信および／または設定された受信は、１つ以上のシンボル上で実行されてよく、ここで、１つ以上のシンボルはＲＲＣ設定によってフレキシブルとして設定され、１つ以上のシンボルはスロット内に存在する。代替的かつ／あるいは追加的に、第１のＤＣＩが第１の監視機会において受信されず、第２のＤＣＩが第２の監視機会において受信されない（例えば、場合、かつ／あるいは、インスタンスに応答して）とき、設定された送信および／または設定された受信の少なくとも１つが、１つ以上のシンボル上で実行されなくてもよい。
【０２０８】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、（ｉ）スロットフォーマットを指示するＤＣＩを監視するための設定を受信することであって、ここで、この設定は、ＵＥが、スロットに関連する第１の監視機会において第１のＤＣＩを監視し、第２の監視機会において第２のＤＣＩを監視することを指示し（例えば、命令し）、第１のＤＣＩはスロットフォーマットを指示する、受信することと、（ｉｉ）第２のＤＣＩに基づいて、第１のＤＣＩが第１の監視機会において受信されず、第２のＤＣＩが第２の監視機会において受信され、第２のＤＣＩがスロットのためのスロットフォーマットを指示する（例えば、場合、かつ／あるいは、インスタンスに応答して）とき、設定された送信および／または設定された受信のうちの少なくとも１つを１つ以上のシンボル上で実行することであって、１つ以上のシンボルはＲＲＣ設定によってフレキシブルとして設定され、１つ以上のシンボルはスロット内に存在する、実行すること、または（ｉｉｉ）第１のＤＣＩが第１の監視機会において受信されず、第２のＤＣＩが第２の監視機会において受信されない（例えば、場合、かつ／あるいは、インスタンスに応答して）とき、設定された送信および／もしくは設定された受信を１つ以上のシンボル上で実行しないことのうちの１つと、を行ってよい。さらに、ＣＰＵ３０８は、プログラムコード３１２を実行して、上述のアクションおよびステップ、および／または本明細書で説明する他のものの一部および／または全部を実行し得る。
【０２０９】
図１２に例示し、上述した実施形態との関連では、第１の監視機会は、ＤＣＩフォーマット２＿０に関連する監視機会であってもよく、かつ／あるいは、第２の監視機会は、ＤＣＩフォーマット２＿０に関連する監視機会であってもよい。代替的かつ／あるいは追加的に、第１の監視機会は、第２の監視機会を先行し得る（かつ／あるいは、それより前であり得る）。代替的かつ／あるいは追加的に、第１の監視機会および第２の監視機会は、ＤＣＩフォーマット２＿０に関連する監視期間（例えば、監視周期）によって分離され得る。代替的かつ／あるいは追加的に、第１のＤＣＩは、ＤＣＩフォーマット２＿０に関連してもよく、かつ／あるいは、第２のＤＣＩは、ＤＣＩフォーマット２＿０に関連してもよい。
【０２１０】
代替的かつ／あるいは追加的に、第１のＤＣＩは、第１の監視機会において監視され得る。
【０２１１】
代替的かつ／あるいは追加的に、スロット内の１つ以上の第２のシンボル（例えば、スロット内のシンボルの一部、スロット内のすべてのシンボルおよび／またはスロット内の１つのシンボル）が、フレキシブルまたは上りリンク（シンボル）の少なくとも１つに設定される（例えば、場合、かつ／あるいは、インスタンスに応答して）とき、第１のＤＣＩは、第１の監視機会において監視されなくてもよい。
【０２１２】
代替的かつ／あるいは追加的に、第２の監視機会においてスロットフォーマットを示すＤＣＩが存在しない（例えば、場合、かつ／あるいは、インスタンスに応答して）とき、第２のＤＣＩは、第２の監視機会において受信されない。
【０２１３】
代替的かつ／あるいは追加的に、第２の監視機会において、第２のスロットのための第２のスロットフォーマットを指示する第３のＤＣＩが存在し、第３のＤＣＩがスロットのためのスロットフォーマットを指示しない（例えば、場合、かつ／あるいは、インスタンスに応答して）とき、第２のＤＣＩは、第２の監視機会において受信されない。
【０２１４】
代替的かつ／あるいは追加的に、ＵＥは、１つ以上のシンボル上で、ＵＥが送信および／または受信を実行することを指示する（例えば、命令する）第４のＤＣＩを検出しなくてもよい。
【０２１５】
図１３は、ＵＥの観点からの例示的な一実施形態によるフローチャート１３００である。ステップ１３０５では、スロットフォーマットを指示するＤＣＩを監視するための設定が受信されてよく、ここで、この設定は、ＵＥが、第１のスロットおよび第２のスロットに関連する第１の監視機会において第１のＤＣＩを監視し、第２の監視機会において第２のＤＣＩを監視することを指示し（例えば、命令し）、第２のＤＣＩは、第２の監視機会において受信され、第２のＤＣＩは、第１のスロットのためのスロットフォーマットを指示し、第２のＤＣＩは、第２のスロットのためのスロットフォーマットを指示しない。ステップ１３１０において、第１のＤＣＩが第１の監視機会において受信されない（例えば、場合、かつ／あるいは、インスタンスに応答して）とき、第２のＤＣＩに基づいて、設定された送信および／または設定された受信が、第１のスロット内の１つ以上の第１のシンボル上で実行されてよく、ここで、第１のスロット内の１つ以上の第１のシンボルは、ＲＲＣ設定によってフレキシブルとして設定される。代替的かつ／あるいは追加的に、設定された送信および／または設定された受信は、第１のＤＣＩが第１の監視機会において受信されない（例えば、場合、かつ／あるいは、インスタンスに応答して）とき、第２のスロット内の１つ以上の第２のシンボル上で実行されなくてもよい。
【０２１６】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、（ｉ）スロットフォーマットを指示するＤＣＩを監視するための設定を受信することであって、この設定は、ＵＥが、第１のスロットおよび第２のスロットに関連する第１の監視機会において第１のＤＣＩを監視し、第２の監視機会において第２のＤＣＩを監視することを指示し（例えば、命令し）、第２のＤＣＩは、第２の監視機会において受信され、第２のＤＣＩは、第１のスロットのためのスロットフォーマットを指示し、第２のＤＣＩは、第２のスロットのためのスロットフォーマットを指示しない、受信することと、（ｉｉ）第１のＤＣＩが第１の監視機会において受信されない（例えば、場合、かつ／あるいは、インスタンスに応答して）とき、第２のＤＣＩに基づいて、第１のスロット内の１つ以上の第１のシンボル上で、設定された送信および／または設定された受信を実行することであって、第１のスロット内の１つ以上の第１のシンボルはＲＲＣ設定によってフレキシブルとして設定される、実行すること、または（ｉｉｉ）第１のＤＣＩが第１の監視機会に受信されない（例えば、場合、かつ／あるいは、インスタンスに応答して）とき、第２のスロット内の１つ以上の第２のシンボル上で、設定された送信および／または設定された受信を実行しないことであって、第２のスロット内の１つ以上の第２のシンボルは、ＲＲＣ設定によってフレキシブルとして設定される、実行しないことのうちの少なくとも１つと、を行ってよい。さらに、ＣＰＵ３０８は、プログラムコード３１２を実行して、上述のアクションおよびステップ、および／または本明細書で説明する他のものの一部および／または全部を実行し得る。
【０２１７】
図１３に例示し、上述した実施形態との関連では、第１の監視機会は、ＤＣＩフォーマット２＿０に関連する監視機会であってもよく、かつ／あるいは、第２の監視機会は、ＤＣＩフォーマット２＿０に関連する監視機会であってもよい。代替的かつ／あるいは追加的に、第１の監視機会は、第２の監視機会を先行し得る（かつ／あるいは、それより前であり得る）。代替的かつ／あるいは追加的に、第１の監視機会および第２の監視機会は、ＤＣＩフォーマット２＿０に関連する監視期間（例えば、監視周期）によって分離され得る。代替的かつ／あるいは追加的に、第１のＤＣＩは、ＤＣＩフォーマット２＿０に関連してもよく、かつ／あるいは、第２のＤＣＩは、ＤＣＩフォーマット２＿０に関連してもよい。
【０２１８】
図１４は、基地局の観点からの例示的な一実施形態によるフローチャート１４００である。ステップ１４０５では、スロットフォーマットを指示するＤＣＩを監視するための設定は、ＵＥに送信されてよい。ステップ１４１０では、第１のＤＣＩは、第１のスロットおよび第２のスロットに関連する第１の監視機会において送信されなくてもよい。ステップ１４１５では、第２のＤＣＩは、第２の監視機会に送信されてよく、ここで、第２のＤＣＩは、第１のスロットのためのスロットフォーマットを指示し、第２のＤＣＩは、第２のスロットのためのスロットフォーマットを指示しない。ステップ１４２０では、設定された送信および／または設定された受信は、ＲＲＣ設定によってフレキシブルとして設定された１つ以上の第１のシンボル上で、第２のＤＣＩに基づいて実行されてよく、ここで、１つ以上の第１のシンボルは第１のスロット内に存在する。代替的かつ／あるいは追加的に、設定された送信および／または設定された受信は、ＲＲＣ設定によってフレキシブルとして設定された１つ以上の第２のシンボル上で実行されなくてもよく、１つ以上の第２のシンボルは第２のスロット内に存在する。
【０２１９】
図３および図４に戻って参照すると、ＵＥの例示的な一実施形態において、デバイス３００は、メモリ３１０に記憶されたプログラムコード３１２を含む。ＣＰＵ３０８は、プログラムコード３１２を実行して、（ｉ）スロットフォーマットを指示するＤＣＩを監視するための設定をＵＥに送信することと、（ｉｉ）第１のスロットおよび第２のスロットに関連する第１の監視機会において第１のＤＣＩを送信しないことと、（ｉｉｉ）第２の監視機会において第２のＤＣＩを送信することであって、第２のＤＣＩは、第１のスロットのためのスロットフォーマットを指示し、第２のＤＣＩは、第２のスロットのためのスロットフォーマットを指示しない、送信することと、（ｉｖ）第２のＤＣＩに基づいて、ＲＲＣ設定によってフレキシブルとして設定された１つ以上の第１のシンボル上で、設定された送信または設定された受信のうちの少なくとも１つを実行することであって、１つ以上の第１のシンボルは第１のスロット内に存在する、実行すること、または（ｖ）ＲＲＣ設定によって設定された１つ以上の第２のシンボル上で、設定された送信および／または設定された受信を実行しないこと、1つ以上の第２のシンボルは第２のスロット内に存在する、実行しないことのうちのすくなくとも１つと、を行ってよい。さらに、ＣＰＵ３０８は、プログラムコード３１２を実行して、上述のアクションおよびステップ、および／または本明細書で説明する他のものの一部および／または全部を実行し得る。
【０２２０】
図１４に例示し、上述した実施形態との関連では、第１の監視機会は、ＤＣＩフォーマット２＿０に関連する監視機会であってもよく、かつ／あるいは、第２の監視機会は、ＤＣＩフォーマット２＿０に関連する監視機会であってもよい。代替的かつ／あるいは追加的に、第１の監視機会は、第２の監視機会を先行し得る（かつ／あるいは、それより前であり得る）。代替的かつ／あるいは追加的に、第１の監視機会および第２の監視機会は、ＤＣＩフォーマット２＿０に関連する監視期間（例えば、監視周期）によって分離され得る。代替的かつ／あるいは追加的に、第１のＤＣＩは、ＤＣＩフォーマット２＿０に関連してもよく、かつ／あるいは、第２のＤＣＩは、ＤＣＩフォーマット２＿０に関連してもよい。
【０２２１】
本明細書に提示する技術の１つ以上の適用は、ＵＥがスロットに関連するグループ共通ＰＤＣＣＨを（首尾よく）受信かつ／あるいは検出しない（例えば、場合、かつ／あるいは、インスタンスに応答して）とき、スロットに関連するスロットフォーマットを決定し、かつ／あるいは、スロットを使用する1つ以上の動作を実行する場合の効率性の向上を含む1つ以上の利点をもたらすことができ、これらに限定されないことが理解され得る。
【０２２２】
通信デバイスが提供され得る。通信デバイスは、制御回路、制御回路内に設置されたプロセッサ、および／または制御回路内に設置され、プロセッサに結合されたメモリを含み得る。プロセッサは、メモリに記憶されたプログラムコードを実行し、図１１、図１２、図１３および／または図１４に示される方法ステップを実行するように構成され得る。さらに、プロセッサは、プログラムコードを実行して、上述のアクションおよびステップ、および／または本明細書で説明する他のものの一部および／または全部を実行し得る。
【０２２３】
以上、本開示の種々の態様を説明した。当然のことながら、本明細書の教示内容を多種多様な形態で具現化してよく、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加または代替で、他の構造、機能、または構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様では、パルス位置またはオフセットに基づいて、同時チャネルが確立されてよい。いくつかの態様では、時間ホッピングシーケンスに基づいて、同時チャネルが確立されてよい。いくつかの態様では、パルス繰り返し周波数、パルス位置またはオフセットおよびホッピングシーケンスに基づいて、同時チャネルが確立されてよい。
【０２２４】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組合せによって表わしてよい。
【０２２５】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるデジタル実装、アナログ実装、またはこれら２つの組合せ）、命令を含む種々の形態のプログラム若しくは設計コード（本明細書においては便宜上、「ソフトウェア」または「ソフトウェアモジュール」と称されることがある）、または両者の組合せとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０２２６】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組合せを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組合せ、複数のマイクロプロセッサ、ＤＳＰコアと協働する１つ以上のマイクロプロセッサ、またはその他任意のこのような構成である、コンピュータデバイスの組合せとして実装されてよい。
【０２２７】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０２２８】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組合せにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０２２９】
以上、種々の態様に関連して開示主題を説明したが、開示主題は、さらに改良可能であることが了解される。本願は、概して開示主題の原理に従うと共に、開示主題が関係する技術分野における既知で慣習的な実施となるような本開示からの逸脱を含む開示主題の任意の変形、使用、または適応を網羅することを意図している。
【図１】
2019176476.tif 000011
【図２】
2019176476.tif 000012
【図３】
2019176476.tif 000013
【図４】
2019176476.tif 000014
【図５】
2019176476.tif 000015
【図６Ａ】
2019176476.tif 000016
【図６Ｂ】
2019176476.tif 000017
【図７】
2019176476.tif 000018
【図８】
2019176476.tif 000019
【図９】
2019176476.tif 000020
【図１０】
2019176476.tif 000021
【図１１】
2019176476.tif 000022
【図１２】
2019176476.tif 000023
【図１３】
2019176476.tif 000024
【図１４】
2019176476.tif 000025
【外国語明細書】
2019176476000001.pdf